(57)【要約】【課題】エネルギー量を大きくできるにも拘わらず放熱性が高くかつ複数の電池を配置するための平面的なスペースを小さくできる、鞍乗型車両の電池パックおよびそれを用いた鞍乗型車両を提供する。【解決手段】電池パック１０は、ケース１２およびケース１２に収容される電池ユニット２２を有する。ケース１２は、第１収容部Ｘ１、第２収容部Ｘ２、および連結部Ｘ３を含む。第１収容部Ｘ１および第２収容部Ｘ２は、放熱用空間８４を挟んで形成される。電池ユニット２２は、第１電池ユニット２４および第２電池ユニット２６を含む。第１電池ユニット２４は第１収容部Ｘ１に収容され、第２電池ユニット２６は第２収容部Ｘ２に収容される。第１電池ユニット２４および第２電池ユニット２６は、接続部Ｘ４によって電気的に接続される。第１電池ユニット２４および第２電池ユニット２６において発生された熱は、放熱用空間８４に放出される。【選択図】図５
2013232280.tif 000002
【特許請求の範囲】
【請求項１】
放熱用空間を挟んで形成される第１収容部および第２収容部と、前記第１収容部および前記第２収容部を連結する連結部とを有する１つのケースと、
互いに平行に配置された複数の充電できる電池と各電池の一端部同士を連結するリード板とを含みかつ前記第１収容部内に収容される第１電池ユニットと、
互いに平行に配置された複数の充電できる電池と各電池の一端部同士を連結するリード板とを含みかつ前記第２収容部内に収容される第２電池ユニットと、
前記第１電池ユニットの前記複数の電池と前記第２電池ユニットの前記複数の電池とを電気的に接続する接続部とを備える、鞍乗型車両の電池パック。
【請求項２】
前記ケースは、
前記第１電池ユニットの外側に位置する第１ケース部と、
前記第１電池ユニットと前記放熱用空間との間に位置しかつ前記第１ケース部に組み合わされる第２ケース部と、
前記放熱用空間と前記第２電池ユニットとの間に位置しかつ前記第２ケース部に組み合わされる第３ケース部と、
前記第２電池ユニットの外側に位置し前記第３ケース部と組み合わされる第４ケース部とを備え、
前記第１ケース部と前記第２ケース部とによって前記第１収容部が形成され、
前記第２ケース部と前記第３ケース部とによって前記連結部が形成され、
前記第３ケース部と前記第４ケース部とによって前記第２収容部が形成され、
前記第２ケース部と前記第３ケース部との間に前記放熱用空間が形成される、請求項１に記載の鞍乗型車両の電池パック。
【請求項３】
前記接続部は、前記ケース内に収容される、請求項１に記載の鞍乗型車両の電池パック。
【請求項４】
前記接続部は前記連結部を通るように設けられ、
前記連結部は、前記第２収容部から前記第１電池ユニットを見た場合に前記連結部の少なくとも一部が前記第１電池ユニットと重なりかつ前記第１収容部から前記第２電池ユニットを見た場合に前記連結部の少なくとも一部が前記第２電池ユニットと重なるように形成される、請求項３に記載の鞍乗型車両の電池パック。
【請求項５】
前記電池は略円柱形状を有し、前記電池の軸方向における長さは前記電池の直径よりも長く、前記電池の一端面が前記放熱用空間に向くように前記電池が配置される、請求項１に記載の鞍乗型車両の電池パック。
【請求項６】
前記放熱用空間は貫通孔である、請求項１に記載の鞍乗型車両の電池パック。
【請求項７】
前記第１電池ユニットと前記第２電池ユニットとは、電気的に並列に接続される、請求項１に記載の鞍乗型車両の電池パック。
【請求項８】
前記第１電池ユニットと前記第２電池ユニットとは、電気的に直列に接続される、請求項１に記載の鞍乗型車両の電池パック。
【請求項９】
前記第１電池ユニットおよび前記第２電池ユニットを制御する１つの制御部を備える、請求項１に記載の鞍乗型車両。
【請求項１０】
前記１から９のいずれかに記載の電池パックを備える、鞍乗型車両。
【発明の詳細な説明】
【技術分野】
【０００１】
この発明は電池パックおよび鞍乗型車両に関し、より特定的には、複数の充電できる電池を有する電池パックおよびそれを備えた鞍乗型車両に関する。
【背景技術】
【０００２】
複数の電池をリード板で直列または並列に接続した電池パックは、各々の電池を効率よく放熱することが大切である。特に、多数の電池を直列または並列に接続し、かつ充放電の電流が大きい電池パックは、電池の発熱量が大きいので、電池の発熱を効率よく放熱することが重要である。これを実現するために、たとえば特許文献１に開示する電池パックが提案される。
【０００３】
特許文献１に開示される電池パックは、外装ケースを含み、外装ケースには電池組立が収容される。電池組立は、リード板で連結された複数の電池を含み、リード板の表面には放熱プレートが固定される。そして、外装ケースと放熱プレートとの間に弾性熱伝導シートが積層され、この弾性熱伝導シートを介して、放熱プレートの熱が外装ケースから外部に放熱される。
【先行技術文献】
【特許文献】
【０００４】
【特許文献１】特開２００９−１７６６８９号公報
【発明の概要】
【発明が解決しようとする課題】
【０００５】
近年、このような電池パックにおいて、エネルギー容量を大きくすることが望まれている。しかしながら、上述の電池パックにおいてエネルギー量を大きくしようとすれば、複数の電池を平面的に配置することになり、複数の電池を配置するための平面的なスペースを大きくしなければならない。
【０００６】
これでは、放熱性に問題はないが、車両等に電池パックを搭載する際に大きなスペースを要してしまう。特に、鞍乗型の電動車両に当該電池パックを搭載する場合、スペースに制約があるので電池パックを搭載するのが難しく、レイアウトの自由度が低くなる。
【０００７】
それゆえに、この発明の主たる目的は、エネルギー量を大きくできるにも拘わらず放熱性が高くかつ複数の電池を配置するための平面的なスペースを小さくできる、鞍乗型車両の電池パックおよびそれを用いた鞍乗型車両を提供することである。
【課題を解決するための手段】
【０００８】
上述の目的を達成するために、請求項１に記載の鞍乗型車両の電池パックは、放熱用空間を挟んで形成される第１収容部および第２収容部と、第１収容部および第２収容部を連結する連結部とを有する１つのケースと、互いに平行に配置された複数の充電できる電池と各電池の一端部同士を連結するリード板とを含みかつ第１収容部内に収容される第１電池ユニットと、互いに平行に配置された複数の充電できる電池と各電池の一端部同士を連結するリード板とを含みかつ第２収容部内に収容される第２電池ユニットと、第１電池ユニットの複数の電池と第２電池ユニットの複数の電池とを電気的に接続する接続部とを備える。
【０００９】
請求項２に記載の鞍乗型車両の電池パックは、請求項１に記載の鞍乗型車両の電池パックにおいて、ケースは、第１電池ユニットの外側に位置する第１ケース部と、第１電池ユニットと放熱用空間との間に位置しかつ第１ケース部に組み合わされる第２ケース部と、放熱用空間と第２電池ユニットとの間に位置しかつ第２ケース部に組み合わされる第３ケース部と、第２電池ユニットの外側に位置し第３ケース部と組み合わされる第４ケース部とを備え、第１ケース部と第２ケース部とによって第１収容部が形成され、第２ケース部と第３ケース部とによって連結部が形成され、第３ケース部と第４ケース部とによって第２収容部が形成され、第２ケース部と第３ケース部との間に放熱用空間が形成されることを特徴とする。
【００１０】
請求項３に記載の鞍乗型車両の電池パックは、請求項１に記載の鞍乗型車両の電池パックにおいて、接続部は、ケース内に収容されることを特徴とする。
【００１１】
請求項４に記載の鞍乗型車両の電池パックは、請求項３に記載の鞍乗型車両の電池パックにおいて、接続部は連結部を通るように設けられ、連結部は、第２収容部から第１電池ユニットを見た場合に連結部の少なくとも一部が第１電池ユニットと重なりかつ第１収容部から第２電池ユニットを見た場合に連結部の少なくとも一部が第２電池ユニットと重なるように形成されることを特徴とする。
【００１２】
請求項５に記載の鞍乗型車両の電池パックは、請求項１に記載の鞍乗型車両の電池パックにおいて、電池は略円柱形状を有し、電池の軸方向における長さは電池の直径よりも長く、電池の一端面が放熱用空間に向くように電池が配置されることを特徴とする。
【００１３】
請求項６に記載の鞍乗型車両の電池パックは、請求項１に記載の鞍乗型車両の電池パックにおいて、放熱用空間は貫通孔であることを特徴とする。
【００１４】
請求項７に記載の鞍乗型車両の電池パックは、請求項１に記載の鞍乗型車両の電池パックにおいて、第１電池ユニットと第２電池ユニットとは、電気的に並列に接続されることを特徴とする。
【００１５】
請求項８に記載の鞍乗型車両の電池パックは、請求項１に記載の鞍乗型車両の電池パックにおいて、第１電池ユニットと第２電池ユニットとは、電気的に直列に接続されることを特徴とする。
【００１６】
請求項９に記載の鞍乗型車両の電池パックは、請求項１に記載の鞍乗型車両の電池パックにおいて、第１電池ユニットおよび第２電池ユニットを制御する１つの制御部を備えることを特徴とする。
【００１７】
請求項１０に記載の鞍乗型車両は、請求項１から９のいずれかに記載の電池パックを備えることを特徴とする。
【００１８】
請求項１に記載の鞍乗型車両の電池パックでは、ケースの第１収容部に第１電池ユニットが収容され、第２収容部に第２電池ユニットが収容され、第１電池ユニットの複数の電池と第２電池ユニットの複数の電池とは接続部によって電気的に接続される。このように、接続部によって相互に電気的に接続された第１電池ユニットと第２電池ユニットとを有するので、エネルギー量を大きくできる。それにも拘らず、第１電池ユニットと第２電池ユニットとは放熱用空間を挟んで配置されるので、複数の電池を配置するための平面的なスペースは大きくならず、しかも第１電池ユニットおよび第２電池ユニットにおける発熱は放熱用空間からも効率的に放熱できるので、放熱性を高くできる。
【００１９】
請求項２に記載の鞍乗型車両の電池パックでは、第１ケース部と第２ケース部とを組み合わせることによって第１収容部が形成され、第２ケース部と第３ケース部とを組み合わせることによって連結部が形成され、第３ケース部と第４ケース部とを組み合わせることによって第２収容部が形成される。また、第２ケース部と第３ケース部とを組み合わせることによって、第２ケース部と第３ケース部との間に放熱用空間が形成される。このようにして簡単にケースを得ることができる。
【００２０】
請求項３に記載の鞍乗型車両の電池パックでは、第１電池ユニットと第２ユニットとを電気的に接続するための接続部はケース内に収容される。ここで、第１電池ユニットと第２電池ユニットとを電気的に接続するための接続部の一部がケースの外部に設けられる場合には、接続部をケースの外部に案内するための案内部（たとえば、ケースを貫通する孔等）をケースに設けなければならない。この場合、案内部においてケースの密封性が低下するので、ケースの密封性を高めるための措置（防水シール等）を案内部に施す必要がある。しかし、この発明に係る電池パックでは、接続部がケース内に収容されるので、接続部をケースの外部に案内するための案内部を設けなくてよい。そのため、上記のような密封性を高めるための対策が必要無く、ケースの密封性を容易に高めることができる。
【００２１】
請求項４に記載の鞍乗型車両の電池パックでは、連結部は、第２収容部から第１電池ユニットを見た場合に連結部の少なくとも一部が第１電池ユニットと重なりかつ第１収容部から第２電池ユニットを見た場合に連結部の少なくとも一部が第２電池ユニットと重なるように形成される。この場合、ケースの平面的な大きさを小さくできるので、電池パックを小型に構成できる。また、この発明に係る電池パックでは、連結部は、第１収容部と第２収容部とを連結する役割を担うとともに、接続部を第１収容部から第２収容部に案内する役割を担う。そのため、この発明に係る電池パックでは、接続部を第１収容部から第２収容部に案内するための構成を連結部とは別に設ける必要がない。その結果、電池パックの構成を簡単にすることができる。
【００２２】
請求項５に記載の鞍乗型車両の電池パックでは、各電池の一端面が放熱用空間に向くように複数の電池が配置される。それにより、各電池が発した熱を放熱用空間に効率よく放出することができる。また、この発明に係る電池パックでは、略円柱形状の電池が用いられ、電池の軸方向における長さは電池の直径よりも長い。そのため、各電池の一端面が放熱用空間に向くように複数の電池を配置することによって、各電池の外周面が放熱用空間に向くように複数の電池を配置する場合に比べて、複数の電池を配置するための平面的なスペースを小さくすることができる。これらの結果、放熱性が向上したコンパクトな電池パックを得ることができる。
【００２３】
請求項６に記載の鞍乗型車両の電池パックでは、放熱用空間を貫通孔とすることによって、放熱性をさらに向上できる。
【００２４】
請求項７に記載の鞍乗型車両の電池パックでは、第１電池ユニットと第２電池ユニットとを電気的に並列に接続することによって、電池パックのエネルギー容量を十分に大きくすることができる。
【００２５】
請求項８に記載の鞍乗型車両の電池パックでは、第１電池ユニットと第２電池ユニットとを電気的に直列に接続することによって、電池パックの出力電圧を十分に高くできる。
【００２６】
請求項９に記載の鞍乗型車両の電池パックでは、１つの制御部によって第１電池ユニットおよび第２電池ユニットを制御できるので、電池パックの制御系を簡単な構成で構築できる。
【００２７】
電池パックを搭載する鞍乗型車両では、電池パックの大きなエネルギー量が要求される一方、各構成部材を配置するスペースが限られており電池パックを搭載するスペースが限られている。この発明に係る電池パックは、エネルギー量を大きくできるにも拘わらず複数の電池を配置するための平面的なスペースを小さくできるので、鞍乗型車両に好適に用いることができる。
【発明の効果】
【００２８】
この発明によれば、エネルギー量が大きくできるとともに、複数の電池を配置するための平面的なスペースが大きくならず、放熱性の高い、電池パックおよびそれを用いた鞍乗型車両を得ることができる。
【図面の簡単な説明】
【００２９】
【図１】この発明の一実施形態の電池パックを示す前方斜視図である。
【図２】電池パックのケースに収容される電池ユニットを示す前方斜視図である。
【図３】電池パックのケースに収容される電池ユニットを示す後方斜視図である。
【図４】図１の電池パックを示す分解斜視図である。
【図５】電池パックを示す平面図解図である。
【図６】電池パックを示す正面図解図である。
【図７】第１電池ユニットを示す分解斜視図である。
【図８】電池パックを示す側面図解図である。
【図９】第２電池ユニットを示す分解斜視図である。
【図１０】電池ユニットの電気回路を示す回路図である。
【図１１】連結ユニットを示す背面図である。
【図１２】連結ユニットを示す断面図である。
【図１３】この発明の他の実施形態の電池パックを示す斜視図である。
【図１４】電池ユニットの他の例を示す前方斜視図である。
【図１５】電池ユニットの他の例を示す後方斜視図である。
【図１６】他の実施形態の電池パックを示す分解斜視図である。
【図１７】他の実施形態の電池パックを示す正面図解図である。
【図１８】他の実施形態の電池パックを示す平面図解図である。
【図１９】他の実施形態の電池パックを示す底面図解図である。
【図２０】第２電池ユニットの他の例を示す分解斜視図である。
【図２１】他の実施形態の電池パックを示す側面図解図である。
【図２２】電池ユニットの電気回路を示す回路図である。
【図２３】電動二輪車を示す側面図である。
【発明を実施するための形態】
【００３０】
以下、図面を参照してこの発明の実施の形態について説明する。図１は、この発明の一実施形態の電池パック１０を示す前方斜視図である。なお、電池パック１０の各構成要素の位置関係を明確にするため、図１には、前後方向および左右方向を示す矢印を付している。他の図においても、前後方向および左右方向を示す矢印を適宜付している。
【００３１】
図１を参照して、電池パック１０は、筐体状のケース１２を含む。ケース１２は、第１ケース部１４、第２ケース部１６、第３ケース部１８および第４ケース部２０を含む。第１ケース部１４、第２ケース部１６、第３ケース部１８および第４ケース部２０は、たとえば、樹脂等の絶縁材料によって形成される。
【００３２】
図２は、ケース１２に収容される電池ユニット２２を示す前方斜視図であり、図３は、電池ユニット２２を示す後方斜視図である。また、図４は、電池パック１０を示す分解斜視図である。
【００３３】
図２〜図４を参照して、電池ユニット２２（図２および図３参照）は、第１電池ユニット２４および第２電池ユニット２６を含む。第１電池ユニット２４の後端部と第２電池ユニット２６の後端部とを連結するように、連結ユニット２８が設けられている。なお、図４においては、連結ユニット２８は、第１電池ユニット２４に接続された状態で示されている。
【００３４】
図４を参照して、第１電池ユニット２４は、第１ケース部１４と第２ケース部１６との間に配置され、第２電池ユニット２６は、第３ケース部１８と第４ケース部２０との間に配置される。
【００３５】
以下、電池パック１０の各構成要素を詳細に説明する。
図５は、電池パック１０を示す平面図解図である。図５においては、ケース１２を上下方向における中央部で切断した場合のケース１２の切断面が示されている。図６は、電池パック１０を示す正面図解図である。図６においては、ケース１２を図５のＡ−Ａ線で切断した場合のケース１２の切断面が示されている。なお、図５および図６においては、図面が煩雑になることを避けるために、電池ユニット２２を簡略化して示している。
【００３６】
図１および図４〜図６を参照して、第１ケース部１４は、支持部３０および支持部３０から左方向に突出する放熱部３２を含む。図１および図６を参照して、支持部３０は、その右端部に略長方形の開口３４ａ（図６参照）が形成されるように枠部３４を含む。支持部３０はさらに、枠部３４の上端部の左側に設けられる側壁部３６、および枠部３４の下端部の左側に設けられる側壁部３８を含む。側壁部３６および側壁部３８は、枠部３４に対して略垂直に設けられる。
【００３７】
図１、図４および図６を参照して、側壁部３６は、右方向に延びる一対のボス３６ａを有する。各ボス３６ａは、中空略円筒形状を有する。一方のボス３６ａは、側壁部３６の前端部に設けられ、他方のボス３６ａは、側壁部３６の後端部に設けられる。図４および図６を参照して、側壁部３６と同様に、側壁部３８は、右方向に延びる一対のボス３８ａを有する。一方のボス３８ａは、側壁部３８の前端部に設けられ、他方のボス３８ａは、側壁部３８の後端部に設けられる。
【００３８】
図１、図５および図６を参照して、放熱部３２は、側壁部３６の下端部から左方向に延びる板状の上壁部４０ａ（図１および図６参照）、側壁部３８の上端部から左方向に延びる板状の下壁部４０ｂ（図１および図６参照）、上壁部４０ａの前端部と下壁部４０ｂの前端部とを接続するように枠部３４から左方向に延びる板状の前壁部４０ｃ（図１および図５参照）、および上壁部４０ａの後端部と下壁部４０ｂの後端部とを接続するように枠部３４から左方向に延びる板状の後壁部４０ｄ（図１および図５参照）を含む。図１を参照して、放熱部３２はさらに、上壁部４０ａ、下壁部４０ｂ、前壁部４０ｃおよび後壁部４０ｄの左端部に連続して設けられる板状の側壁部４２を含む。側壁部４２は、上下方向に並んで配置される複数（この実施形態では７つ）の貫通孔４２ａを有する。
【００３９】
図１、図４および図５を参照して、第２ケース部１６は、側面視略長方形の枠部４４、枠部４４の前端部から右方向に延びる側面視略長方形の枠部４６、および枠部４６の後端部から右方向に延びる側面視略長方形の枠部４８を含む。枠部４６と枠部４８とは、前後方向に離れてかつ互いに対して略平行に設けられる。なお、図１においては、枠部４４と枠部４６との境界および枠部４４と枠部４８との境界が一点鎖線で示されている。
【００４０】
図４および図５を参照して、第２ケース部１６は、さらに、枠部４４の右端部において、枠部４６と枠部４８とを接続するように設けられる長方形の板状部５０を含む。板状部５０の上端部および下端部は枠部４４に接続される。枠部４６および枠部４８は、板状部５０よりも右側に突出している。図４を参照して、板状部５０は、上下方向に並んで配置される複数（この実施形態では６つ）の貫通孔５０ａを有する。
【００４１】
図４および図５を参照して、第２ケース部１６においては、枠部４４によって略直方体状の開口４４ａが形成され、枠部４６によって左右方向に貫通する略直方体状の貫通孔４６ａが形成され、枠部４８によって左右方向に貫通する略直方体状の貫通孔４８ａが形成される。貫通孔４６ａおよび貫通孔４８ａは、それぞれ開口４４ａに連通している。
【００４２】
図５および図６を参照して、枠部４４の左縁に沿って溝部４４ｂが形成される。溝部４４ｂは、左方向に向かって開口している。なお、図４においては、図面が煩雑になることを避けるために、溝部４４ｂは図示していない。
【００４３】
図４〜図６を参照して、環状の防水シール５２が溝部４４ｂ（図５および図６参照）に嵌められた状態で、第１ケース部１４の枠部３４が溝部４４ｂ（図５および図６参照）に差し込まれる。これにより、第１ケース部１４と第２ケース部１６とが接続される。第１ケース部１４と第２ケース部１６とは、さらに、ネジ等の複数の締結具（図示せず）によって互いに固定される。防水シール５２は、ケース１２の外部の水が第１ケース部１４と第２ケース部１６との間を通ってケース１２内に入ることを防止する。
【００４４】
図１および図４〜図６を参照して、第３ケース部１８は、前後方向に離れてかつ互いに対して略平行に設けられる枠部５４，５６、および枠部５４と枠部５６とを接続するように設けられる板状部５８を含む。枠部５４、枠部５６および板状部５８はそれぞれ、側面視において略長方形状を有する。図４を参照して、板状部５８は、上下方向に並んで配置される複数（この実施形態では６つ）の貫通孔５８ａを有する。
【００４５】
図４および図５を参照して、枠部５４および枠部５６は、板状部５８よりも左側に突出している。図４〜図６を参照して、第３ケース部１８はさらに、その外周縁に沿って設けられかつ枠部５４、枠部５６（図４および図６参照）および板状部５８（図４および図５参照）から右方向に突出する突出部６０を含む。
【００４６】
図４および図５を参照して、第３ケース部１８においては、枠部５４によって左右方向に貫通する略直方体状の貫通孔５４ａが形成され、枠部５６によって左右方向に貫通する略直方体状の貫通孔５６ａが形成される。
【００４７】
図５を参照して、枠部５４の左縁に沿って溝部５４ｂが形成され、枠部５６の左縁に沿って溝部５６ｂが形成される。溝部５４ｂおよび溝部５６ｂは、左方向に向かって開口している。なお、図４においては、図面が煩雑になることを避けるために、溝部５４ｂおよび溝部５６ｂは図示していない。
【００４８】
図４および図５を参照して、環状の防水シール６２が溝部５４ｂ（図５参照）に嵌められた状態で、第２ケース部１６の枠部４６が溝部５４ｂ（図５参照）に差し込まれる。同様に、環状の防水シール６４が溝部５６ｂ（図５参照）に嵌められた状態で、第２ケース部１６の枠部４８が溝部５６ｂ（図５参照）に差し込まれる。これにより、枠部４６と枠部５４とが接続され、枠部４８と枠部５６とが接続される。すなわち、第２ケース部１６と第３ケース部１８とが接続される。第２ケース部１６と第３ケース部１８とは、さらに、ネジ等の複数の締結具（図示せず）によって互いに固定される。防水シール６２および防水シール６４は、ケース１２の外部の水が第２ケース部１６と第３ケース部１８との間を通ってケース１２内に水が入ることを防止する。
【００４９】
図１および図４〜図６を参照して、第４ケース部２０は、支持部６６および支持部６６から右方向に突出する放熱部６８（図４〜図６参照）を含む。図４を参照して、支持部６６は、略直方体状の開口７０ａが形成されるように枠部７０を含む。図１を参照して、枠部７０の前面には、後述するサービスプラグ１４８が着脱可能に設けられる。
【００５０】
図４および図６を参照して、支持部６６はさらに、枠部７０の上端部の右側に設けられる側壁部７２（図６参照）、および枠部７０の下端部の右側に設けられる側壁部７４を含む。
【００５１】
図６を参照して、側壁部７２および側壁部７４は、枠部７０に対して略垂直に設けられる。側壁部７２の前後方向における長さは、第１ケース部１４の側壁部３６の前後方向における長さと略等しく、側壁部７４の前後方向における長さは、第１ケース部１４の側壁部３８の前後方向における長さと略等しい。
【００５２】
図４および図６を参照して、側壁部７２（図６参照）は、第１ケース部１４の側壁部３６と同様に、左方向に延びる一対のボス７２ａを有する。各ボス７２ａは、中空略円筒形状を有する。一方のボス７２ａは、側壁部３６の前端部に設けられたボス３６ａと左右方向において対向するように、側壁部７２（図６参照）の前端部に設けられる。他方のボス７２ａは、側壁部３６の後端部に設けられたボス３６ａと左右方向において対向するように、側壁部７２（図６参照）の後端部に設けられる。
【００５３】
側壁部７４は、第１ケース部１４の側壁部３８と同様に、左方向に延びる一対のボス７４ａを有する。各ボス７４ａは、中空略円筒形状を有する。一方のボス７４ａは、側壁部３８の前端部に設けられたボス３８ａと左右方向において対向するように、側壁部７４の前端部に設けられる。他方のボス７４ａは、側壁部３８の後端部に設けられたボス３８ａと左右方向において対向するように、側壁部７４の後端部に設けられる。
【００５４】
図５を参照して、支持部６６はさらに、側壁部７２（図６参照）の前端部と側壁部７４（図６参照）の前端部とを接続するように上下方向に延びる側壁部７６を含む。側壁部７６の前端部は、枠部７０に接続される。側壁部７６は、後述するプラス端子１２４およびマイナス端子１４４をケース１２の内部からケース１２の外部へ突出させるための２つの貫通孔（図示せず）を有する。また、図１を参照して、側壁部７６（図５参照）には、プラス端子１２４を保護するための保護部７６ａおよびマイナス端子１４４を保護するための保護部７６ｂが設けられる。保護部７６ａは、プラス端子１２４の外周面を取り囲むように側壁部７６に一体的に設けられ、保護部７６ｂは、マイナス端子１４４の外周面を取り囲むように側壁部７６に一体的に設けられる。
【００５５】
図５および図６を参照して、放熱部６８は、側壁部７２の下端部から右方向に延びる板状の上壁部７８ａ（図６参照）、側壁部７４の上端部から右方向に延びる板状の下壁部７８ｂ（図６参照）、上壁部７８ａ（図６参照）の前端部と下壁部７８ｂ（図６参照）の前端部とを接続するように側壁部７６（図５参照）の後端部から右方向に延びる前壁部７８ｃ（図５参照）、および上壁部７８ａ（図６参照）の後端部と下壁部７８ｂ（図６参照）の後端部とを接続するように枠部７０から右方向に延びる後壁部７８ｄ（図５参照）を含む。図４、図５および図６を参照して、放熱部６８はさらに、上壁部７８ａ（図６参照）、下壁部７８ｂ（図６参照）、前壁部７８ｃ（図５参照）および後壁部７８ｄ（図５参照）の右端部に連続して設けられる板状の側壁部８０を含む。図４を参照して、側壁部８０は、上下方向に並んで配置される複数（この実施形態では７つ）の貫通孔８０ａを有する。
【００５６】
図５および図６を参照して、枠部７０の左縁に沿って溝部７０ｂが形成される。溝部７０ｂは、左方向に向かって開口している。なお、図４においては、図面が煩雑になることを避けるために、溝部７０ｂは図示していない。
【００５７】
図４から図６を参照して、環状の防水シール８２が溝部７０ｂ（図５および図６参照）に嵌められた状態で、第３ケース部１８の突出部６０が溝部７０ｂ（図５および図６参照）に差し込まれる。これにより、第３ケース部１８と第４ケース部２０とが接続される。第３ケース部１８と第４ケース部２０とは、さらに、ネジ等の複数の締結具（図示せず）によって互いに固定される。防水シール８２は、ケース１２の外部の水が第３ケース部１８と第４ケース部２０との間を通ってケース１２内に入ることを防止する。
【００５８】
図１および図５を参照して、上述のように組み合わされたケース１２においては、第２ケース部１６および第３ケース部１８によって、ケース１２の略中央部に、上下方向に貫通する放熱用空間８４が形成される。この実施形態では、放熱用空間８４は、貫通孔として形成される。また、図５を参照して、この実施形態では、第１ケース部１４、第２ケース部１６の枠部４４、および第２ケース部１６の板状部５０によって第１収容部Ｘ１が構成され、第３ケース部１８の板状部５８、第３ケース部１８の突出部６０および第４ケース部２０によって第２収容部Ｘ２が構成され、第２ケース部１６の枠部４６、第２ケース部１６の枠部４８、第３ケース部１８の枠部５４および第３ケース部１８の枠部５６によって連結部Ｘ３が構成される。第１収容部Ｘ１は、第１電池ユニット２４を収容するための第１収容空間８６を有し、第２収容部Ｘ２は、第２電池ユニット２６を収容するための第２収容空間８８を有する。第１収容空間８６と第２収容空間８８とは、連結部Ｘ３の貫通孔４６ａ，４８ａ，５４ａ，５６ａを介して連通している。
【００５９】
次に、ケース１２に収容される電池ユニット２２について詳細に説明する。
図７は、電池ユニット２２（図２および図３参照）の第１電池ユニット２４を示す分解斜視図である。また、図８は、電池パック１０の内部を左側から見た側面図解図である。なお、図８においては、電池パック１０の内部構造を理解し易くするために、第１ケース部１４（図４参照）、第２ケース部１６（図４参照）、防水シール５２（図４参照）、防水シール６２（図４参照）および防水シール６４（図４参照）は図示していない。
【００６０】
図７および図８を参照して、第１電池ユニット２４は、互いに平行に配置される複数の充電できる電池９０、電池ホルダ９２、電池ホルダ９４（図７参照）、および制御部９６を含む。
【００６１】
電池９０は、プラス極としての端部電極９０ａおよびマイナス極としての端部電極９０ｂを有する。電池９０は略円柱形状を有し、電池９０の長手方向の長さは、電池９０の直径よりも長い。複数の電池９０は、端部電極９０ａおよび端部電極９０ｂが同一面に位置するように多列多段に並べられる。この実施形態では、電池９０は、前後６列、上下１４段に配列される。上下に隣り合う段の電池９０は、前後にずらせて互いに隣の電池９０がその中間に位置するように並べられる。また、上下に隣り合う段の電池９０は、互いに隣の電池９０と逆の方向を向き、前後に隣り合う列の電池９０は、互いに隣の電池９０と同じ方向を向くように並べられる。具体的には、上から１段目、３段目、５段目、７段目、９段目、１１段目および１３段目の電池９０は、端部電極９０ａ（プラス極）が左側を向くように並べられ、上から２段目、４段目、６段目、８段目、１０段目、１２段目および１４段目の電池９０は、端部電極９０ｂ（マイナス極）が左側を向くように並べられる。
【００６２】
電池ホルダ９２は、略長方形の板状部９２ａ、板状部９２ａから左方向に突出するホルダ部９２ｂ、ホルダ部９２ｂから前方に延びる複数（この実施形態では２つ）のボス９２ｃ、およびホルダ部９２ｂから後方に延びる複数（この実施形態では７つ）のボス９２ｄ（図７参照）を含む。複数のボス９２ｄは、後述する複数のリード板１００に対応して設けられる。
【００６３】
図７を参照して、電池ホルダ９２は、板状部９２ａおよびホルダ部９２ｂを左右方向に貫通する複数の貫通孔９２ｅを有する。複数の貫通孔９２ｅは、複数の電池９０に対応して形成される。板状部９２ａの四隅には、略円筒状のボス９２ｆ（図７においては３つのボス９２ｆのみ図示）が左右方向に延びるように設けられる。ホルダ部９２ｂの左端面には、上下方向に並ぶように複数（この実施形態では７つ）のネジ穴９２ｇが形成される。
【００６４】
電池ホルダ９４は、長方形の板状部９４ａおよび板状部９４ａから右方向に突出するホルダ部９４ｂ、ホルダ部９４ｂから前方に延びる複数（この実施形態では２つ）のボス９４ｃ、およびホルダ部９４ｂから後方に延びる複数（この実施形態では８つ）のボス９４ｄ（図７においては１つのボス９４ｄのみ図示）を含む。図８を参照して、複数のボス９４ｄ（図８においては、６つのボス９４ｄを図示）は、後述するリード板１０２ａ（図７参照）、複数のリード板１０２ｂおよびリード板１０２ｃに対応して設けられる。
【００６５】
図７を参照して、電池ホルダ９４は、板状部９４ａおよびホルダ部９４ｂを左右方向に貫通する複数の貫通孔９４ｅを有する。複数の貫通孔９４ｅは、複数の電池９０に対応して形成される。ホルダ部９４ｂの右端面には、ホルダ部９２ｂのネジ穴９２ｇと同様の複数のネジ穴（図示せず）が形成される。
【００６６】
図２、図３および図７を参照して、電池９０が貫通孔９２ｅ（図７参照）および貫通孔９４ｅ（図７参照）に収容されるように、電池ホルダ９２と電池ホルダ９４とが組み合わされる。電池ホルダ９２および電池ホルダ９４は、たとえば、図示しない複数の締結具（たとえば、ネジ）によって板状部９２ａと板状部９４ａ（図３および図７参照）とを固定することによって組み合わされる。
【００６７】
制御部９６は、長方形の回路基板９６ａならびに回路基板９６ａに搭載されるＣＰＵ（図示せず）およびメモリ（図示せず）を含む。制御部９６は、電池９０の温度、電流、電圧および使用頻度等を検出することによって電池９０の状態を監視するとともに、電池９０を制御する。制御部９６としては、たとえば、ＢＭＣ（バッテリ・マネジメント・コントローラ）を用いることができる。
【００６８】
図２、図７および図８を参照して、回路基板９６ａは、複数（この実施形態では４本）のネジ９８（図２および図８参照）によって電池ホルダ９２のボス９２ｃおよび電池ホルダ９４（図７参照）のボス９４ｃ（図７参照）に取り付けられる。これによって、制御部９６が電池ホルダ９２および電池ホルダ９４に固定される。
【００６９】
複数の電池９０の左端部に、連結用の複数（この実施形態では７つ）のリード板１００が接続される。具体的には、上から１段目の複数の電池９０の端部電極９０ａ（プラス極）および２段目の複数の電池９０の端部電極９０ｂ（マイナス極）に１つのリード板１００が接続される。これにより、１段目の複数の電池９０の端部電極９０ａが電気的に並列に接続され、２段目の複数の電池９０の端部電極９０ｂが電気的に並列に接続される。また、１段目の複数の電池９０の端部電極９０ａと２段目の複数の電池９０の端部電極９０ｂとが電気的に直列に接続される。リード板１００は、たとえば端部電極９０ａおよび端部電極９０ｂに溶接される。同様に、３段目から１４段目の複数の電池９０に、６つのリード板１００が接続される。具体的には、２つの段の複数の電池９０毎に１つのリード板１００が接続される。各リード板１００の前端部および後端部は、右方向に屈曲している。各リード板１００の前後方向における中央部には、貫通孔１００ａが形成され、各リード板１００の後端部には、貫通孔１００ｂ（図７参照）が形成される。図２および図８を参照して、各リード板１００の前端部は、制御部９６の回路基板９６ａに接続される。
【００７０】
図７を参照して、複数の電池９０の右端部には、出力用のリード板１０２ａ、連結用の複数（この実施形態では６つ）のリード板１０２ｂ、および出力用のリード板１０２ｃが接続される。
【００７１】
具体的には、上から１段目の複数の電池９０の端部電極９０ｂにリード板１０２ａが接続される。これにより、１段目の複数の電池９０の端部電極９０ｂが電気的に並列に接続される。リード板１０２ａは、たとえば端部電極９０ｂに溶接される。リード板１０２ａの前端部および後端部は、左方向に屈曲している。リード板１０２ａの後端部には、貫通孔１０２ｄが形成される。図２を参照して、リード板１０２ａの前端部は、制御部９６の回路基板９６ａに接続される。
【００７２】
図７を参照して、上から２段目の複数の電池９０の端部電極９０ａおよび３段目の複数の電池９０の端部電極９０ｂに１つのリード板１０２ｂが接続される。これにより、２段目の複数の電池９０の端部電極９０ａが電気的に並列に接続され、３段目の複数の電池９０の端部電極９０ｂが電気的に並列に接続される。また、２段目の複数の電池９０の端部電極９０ａと３段目の複数の電池９０の端部電極９０ｂとが電気的に直列に接続される。リード板１０２ｂは、たとえば端部電極９０ａおよび端部電極９０ｂに溶接される。同様に、４段目から１３段目の複数の電池９０に、５つのリード板１０２ｂが接続される。具体的には、２つの段の複数の電池９０毎に１つのリード板１０２ｂが接続される。各リード板１０２ｂの前端部および後端部は、左方向に屈曲している。各リード板１０２ｂの前後方向における中央部には、貫通孔１０２ｅが形成され、各リード板１０２ｂの後端部には、貫通孔１０２ｆが形成される。図２を参照して、各リード板１０２ｂの前端部は、制御部９６の回路基板９６ａに接続される。
【００７３】
図７を参照して、上から１４段目の複数の電池９０の端部電極９０ａには、リード板１０２ｃが接続される。これにより、１４段目の複数の電池９０の端部電極９０ａが電気的に並列に接続される。リード板１０２ｃは、たとえば端部電極９０ａに溶接される。リード板１０２ｃの前端部および後端部は、左方向に屈曲している。リード板１０２ｃの後端部には、貫通孔１０２ｇが形成される。図２を参照して、リード板１０２ｃの前端部は、制御部９６の回路基板９６ａに接続される。
【００７４】
第１電池ユニット２４においては、１段目から１４段目の複数の電池９０が上述のように接続されることによって、各段の複数の電池９０が電気的に並列に接続されるとともに、１段目から１４段目の複数の電池９０が電気的に直列に接続される。
【００７５】
次に、第２電池ユニット２６について説明する。
図９は、第２電池ユニット２６を示す分解斜視図である。図９を参照して、第２電池ユニット２６は、互いに平行に配置される複数の電池９０、電池ホルダ１０４および電池ホルダ１０６を含む。第１電池ユニット２４と同様に、複数の電池９０は、端部電極９０ａおよび端部電極９０ｂが同一面に位置するように多列多段に並べられる。この実施形態では、電池９０は、前後６列、上下１４段に配列される。上下に隣り合う段の電池９０は、前後にずらせて互いに隣の電池９０がその中間に位置するように並べられる。また、上下に隣り合う段の電池９０は、互いに隣の電池９０と逆の方向を向き、前後に隣り合う列の電池９０は、互いに隣の電池９０と同じ方向を向くように並べられる。第２電池ユニット２６においては、上から１段目、３段目、５段目、７段目、９段目、１１段目および１３段目の電池９０は、端部電極９０ｂ（マイナス極）が左側を向くように並べられ、上から２段目、４段目、６段目、８段目、１０段目、１２段目および１４段目の電池９０は、端部電極９０ａ（プラス極）が左側を向くように並べられる。したがって、電池ユニット２２（図２参照）においては、第１電池ユニット２４（図７参照）の電池９０（図７参照）と第２電池ユニット２６（図９参照）の電池９０（図９参照）とが互いに逆方向を向くように並べられる。言い換えると、第１電池ユニット２４の電池９０の端部電極９０ａと第２電池ユニット２６の電池９０の端部電極９０ａとが互いに向き合い、第１電池ユニット２４の電池９０の端部電極９０ｂと第２電池ユニット２６の電池９０の端部電極９０ｂとが互いに向き合うように、複数の電池９０が配列される。
【００７６】
電池ホルダ１０４は、略長方形の板状部１０４ａ、板状部１０４ａから左方向に突出するホルダ部１０４ｂ、ホルダ部１０４ｂの上端部から前方に延びるボス１０４ｃ、ホルダ部１０４ｂの下端部から前方に延びるボス１０４ｄ、およびホルダ部１０４ｂから後方に延びる複数（この実施形態では８つ）のボス１０４ｅ（図９においては１つのボス１０４ｅのみ図示）を含む。複数のボス１０４ｅは、後述するリード板１０８ａ、複数のリード板１０８ｂ、およびリード板１０８ｃ対応して設けられる。
【００７７】
電池ホルダ１０４は、板状部１０４ａおよびホルダ部１０４ｂを左右方向に貫通する複数の貫通孔１０４ｆを有する。複数の貫通孔１０４ｆは、複数の電池９０に対応して形成される。板状部１０４ａの四隅には、略円筒状のボス１０４ｇ（図９においては３つのボス１０４ｇのみ図示）が左右方向に延びるように設けられる。ホルダ部１０４ｂの左端面には、上下方向に並ぶように複数（この実施形態では６つ）のネジ穴１０４ｈが形成される。
【００７８】
板状部１０４ａの前端部において上下方向における中央部よりもやや下方には、前方に向かって突出するように取付部１０４ｉが設けられ、板状部１０４ａの前端部において取付部１０４ｉよりも上方には、前方に向かって突出するように取付部１０４ｊが設けられる。
【００７９】
板状部１０４ａの前端部において取付部１０４ｉよりも下方には、前方に向かって突出するように取付部１０４ｋ，１０４ｌが設けられ、板状部１０４ａの前端部において取付部１０４ｊよりも上方には、端子用取付部１０４ｍ，１０４ｎが設けられる。
【００８０】
図３および図９を参照して、電池ホルダ１０６は、長方形の板状部１０６ａおよび板状部１０６ａから右方向に突出するホルダ部１０６ｂ、およびホルダ部１０６ｂから後方に延びる複数（この実施形態では７つ）のボス１０６ｃ（図９においては１つのボス１０６ｃのみ図示）を含む。複数のボス１０６ｃは後述する複数のリード板１１０に対応して設けられる。
【００８１】
図９を参照して、電池ホルダ１０６は、板状部１０６ａおよびホルダ部１０６ｂを左右方向に貫通する複数の貫通孔１０６ｄを有する。複数の貫通孔１０６ｄは、複数の電池９０に対応して形成される。ホルダ部１０６ｂの右端面には、ホルダ部１０４ｂのネジ穴１０４ｈと同様のネジ穴（図示せず）が形成される。
【００８２】
図２、図３および図９を参照して、電池９０が貫通孔１０４ｆ（図９参照）および貫通孔１０６ｄ（図９参照）に収容されるように、電池ホルダ１０４と電池ホルダ１０６とが組み合わされる。電池ホルダ１０４および電池ホルダ１０６は、たとえば、図示しない複数の締結具（たとえば、ネジ）によって板状部１０４ａと板状部１０６ａ（図３および図９参照）とを固定することによって組み合わされる。
【００８３】
図９を参照して、複数の電池９０の左端部には、出力用のリード板１０８ａ、連結用の複数（この実施形態では６つ）のリード板１０８ｂ、および出力用のリード板１０８ｃが接続される。
【００８４】
具体的には、上から１段目の複数の電池９０の端部電極９０ｂ（マイナス極）にリード板１０８ａが接続される。これにより、１段目の複数の電池９０の端部電極９０ｂが電気的に並列に接続される。リード板１０８ａは、たとえば端部電極９０ｂに溶接される。リード板１０８ａの前端部および後端部は、右方向に屈曲している。リード板１０８ａの前端部には、貫通孔１０８ｄが形成され、リード板１０８ａの後端部には、貫通孔１０８ｅが形成される。
【００８５】
上から２段目の複数の電池９０の端部電極９０ａ（プラス極）および３段目の複数の電池９０の端部電極９０ｂに１つのリード板１０８ｂが接続される。これにより、２段目の複数の電池９０の端部電極９０ａが電気的に並列に接続され、３段目の複数の電池９０の端部電極９０ｂが電気的に並列に接続される。また、２段目の複数の電池９０の端部電極９０ａと３段目の複数の電池９０の端部電極９０ｂとが電気的に直列に接続される。リード板１０８ｂは、たとえば端部電極９０ａおよび端部電極９０ｂに溶接される。同様に、４段目から１３段目の複数の電池９０に、５つのリード板１０８ｂが接続される。具体的には、２つの段の複数の電池９０毎に１つのリード板１０８ｂが接続される。各リード板１０８ｂの後端部は、右方向に屈曲している。各リード板１０８ｂの前後方向における中央部には、貫通孔１０８ｆが形成され、リード板１０８ｂの後端部には、貫通孔１０８ｇが形成される。
【００８６】
上から１４段目の複数の電池９０の端部電極９０ａには、リード板１０８ｃが接続される。これにより、１４段目の複数の電池９０の端部電極９０ａが電気的に並列に接続される。リード板１０８ｃは、たとえば端部電極９０ａに溶接される。リード板１０８ｃの前端部は、右方向に向かって鉤状に屈曲し、かつその先端部は上方に向かって延びている。リード板１０８ｃの後端部は、右方向に屈曲している。リード板１０８ｃの前端部には、貫通孔１０８ｈおよび貫通孔１０８ｉが形成され、リード板１０８ｃの後端部には、貫通孔１０８ｊが形成される。
【００８７】
複数の電池９０の右端部には、連結用の複数（この実施形態では７つ）のリード板１１０が接続される。具体的には、上から１段目の複数の電池９０の端部電極９０ａおよび２段目の複数の電池９０の端部電極９０ｂに１つのリード板１１０が接続される。これにより、１段目の複数の電池９０の端部電極９０ａが電気的に並列に接続され、２段目の複数の電池９０の端部電極９０ｂが電気的に並列に接続される。また、１段目の複数の電池９０の端部電極９０ａと２段目の複数の電池９０の端部電極９０ｂとが電気的に直列に接続される。リード板１１０は、たとえば端部電極９０ａおよび端部電極９０ｂに溶接される。同様に、３段目から１４段目の複数の電池９０に、６つのリード板１１０が接続される。具体的には、２つの段の複数の電池９０毎に１つのリード板１１０が接続される。各リード板１１０の後端部は、左方向に屈曲している。各リード板１１０の前後方向における中央部には、貫通孔１１０ａが形成され、各リード板１１０の後端部には、貫通孔１１０ｂが形成される。
【００８８】
第２電池ユニット２６においても、第１電池ユニット２４と同様に、１段目から１４段目の複数の電池９０が上述のように接続されることによって、各段の複数の電池９０が電気的に並列に接続されるとともに、１段目から１４段目の複数の電池９０が電気的に直列に接続される。
【００８９】
図２および図６を参照して、リード板１０２ｃの前端部とリード板１０８ｃの前端部とを接続するように、平面視において略Ｌ字形状のリード板１１２が設けられる。リード板１１２の左端部は、たとえば、リード板１０２ｃの前端部に溶接される。図５を参照して、リード板１１２は、連結部Ｘ３の貫通孔４６ａおよび貫通孔５４ａを通りつつ第１収容部Ｘ１の第１収容空間８６から第２収容部Ｘ２の第２収容空間８８に延びている。図２および図６を参照して、リード板１１２の右端部は、リード板１０８ｃの前端部とともに、ネジ１１４によって電池ホルダ１０４のボス１０４ｄに固定される。これにより、図１０に示すように、第１電池ユニット２４の１４段目（最下段）の複数の電池９０の端部電極９０ａ（図７参照）と第２電池ユニット２６の１４段目（最下段）の複数の電池９０の端部電極９０ａ（図９参照）とがリード板１１２によって接続される。
【００９０】
図２および図６を参照して、リード板１０８ｃの右端部は、ヒューズ１１６の一方の端子１１６ａとともにネジ１１８によって電池ホルダ１０４の取付部１０４ｌ（図６参照）に取り付けられる。ヒューズ１１６の他方の端子１１６ｂは、リード板１２０の下端部とともにネジ１２２によって電池ホルダ１０４の取付部１０４ｋ（図６参照）に取り付けられる。リード板１２０は、正面視において階段状に屈曲した形状を有する。
【００９１】
リード板１２０の上端部は、放電用のプラス端子１２４とともにネジ１２６によって電池ホルダ１０４の取付部１０４ｉに取り付けられる。これにより、図１０を参照して、第１電池ユニット２４の複数の電池９０と第２電池ユニット２６の複数の電池９０とがヒューズ１１６を介してプラス端子１２４に電気的に接続される。なお、図５を参照して、プラス端子１２４は、取付部１０４ｉ（図６参照）から右方向に延びるように設けられ、ケース１２の側壁部７６からケース１２の外側に突出している。上述したように、プラス端子１２４のケース１２から外側に突出した部分は、保護部７６ａ（図１参照）によって保護される。
【００９２】
図２および図６を参照して、リード板１０２ａの前端部とリード板１０８ａの前端部とを接続するように、平面視において略Ｌ字形状のリード板１２８が設けられる。リード板１２８の左端部は、たとえば、リード板１０２ａの前端部に溶接される。図５を参照して、リード板１２８は、連結部Ｘ３の貫通孔４６ａおよび貫通孔５４ａを通りつつ第１収容部Ｘ１の第１収容空間８６から第２収容部Ｘ２の第２収容空間８８に延びている。図２および図６を参照して、リード板１２８の右端部は、リード板１０８ａの前端部および略Ｌ字形状（側面視）のリード板１３０の後端部とともに、ネジ１３２によって電池ホルダ１０４のボス１０４ｃ（図９参照）に固定される。これにより、図１０に示すように、第１電池ユニット２４の１段目（最上段）の複数の電池９０の端部電極９０ｂ（図７参照）と第２電池ユニット２６の１段目（最上段）の複数の電池９０の端部電極９０ｂ（図９参照）とがリード板１２８によって接続される。その結果、リード板１１２とリード板１２８とによって、第１電池ユニット２４の複数の電池９０と第２電池ユニット２６の複数の電池９０とが電気的に並列に接続される。
【００９３】
図２および図６を参照して、リード板１３０の前端部は下方に延びるように屈曲し、板状の端子１３４とともにネジ１３６によって電池ホルダ１０４の取付部１０４ｎに取り付けられる。上下方向において端子１３４と対向するように、板状の端子１３８がリード板１４０の上端部とともにネジ１４２によって電池ホルダ１０４の取付部１０４ｍに取り付けられる。リード板１４０は、正面視において階段状に屈曲した形状を有する。
【００９４】
リード板１４０の下端部は、充放電用のマイナス端子１４４とともにネジ１４６によって電池ホルダ１０４の取付部１０４ｊに取り付けられる。プラス端子１２４（図５参照）と同様に、マイナス端子１４４は取付部１０４ｊ（図６参照）から右方向に延びるように設けられ、ケース１２（図５参照）の側壁部７６（図５参照）からケース１２（図５参照）の外側に突出している。上述したように、マイナス端子１４４のケース１２から外側に突出した部分は、保護部７６ｂ（図１参照）によって保護される。
【００９５】
図１を参照して、第４ケース部２０の枠部７０には、サービスプラグ１４８が取り付けられる。サービスプラグ１４８は、枠部７０からケース１２内に突出する連結端子（図示せず）を有し、その連結端子によって端子１３４（図６参照）と端子１３８（図６参照）とが連結される。これにより、図１０を参照して、第１電池ユニット２４の複数の電池９０と第２電池ユニット２６の複数の電池９０とがサービスプラグ１４８を介してマイナス端子１４４に電気的に接続される。なお、上述したように、サービスプラグ１４８は、着脱可能に枠部７０に設けられる。そのため、サービスプラグ１４８を枠部７０から取り外すことによって、端子１３４（図６参照）と端子１３８（図６参照）との電気的な接続を遮断することができる。それにより、プラス端子１２４とマイナス端子１４４との間の電気的な接続を遮断することができる。
【００９６】
図３を参照して、第１電池ユニット２４の後端部および第２電池ユニット２６の後端部を連結するように連結ユニット２８が設けられる。図５を参照して、連結ユニット２８は、連結部Ｘ３の貫通孔４８ａおよび貫通孔５６ａを通るように配置される。
【００９７】
図１１は、連結ユニット２８を示す背面図であり、図１２は、連結ユニット２８を示す断面図である。なお、図１２（ａ）は、図１１のＢ−Ｂ線断面図であり、図１２（ｂ）は、図１１のＣ−Ｃ線断面図である。
【００９８】
図１１を参照して、連結ユニット２８は、長方形の基板１５０、基板１５０の背面に設けられるリード板１５２、基板１５０の背面に設けられる複数（この実施形態では６つ）の長方形のリード板１５４および基板１５０の前面に設けられる複数（この実施形態では８つ）の長方形のリード板１５６を含む。基板１５０は、たとえば樹脂等の絶縁材料によって形成される。リード板１５２の左右方向における中央部は、上方に突出するように屈曲している。
【００９９】
図１１および図１２（ａ）を参照して、基板１５０は、後方に向かって突出する複数（この実施形態では１４個）の円柱状の突出部１５０ａを有する。複数の突出部１５０ａは、基板１５０の右端部および左端部に沿って上下方向に並ぶように形成される。リード板１５２は、４つの貫通孔１５２ａを有する。４つの貫通孔１５２ａのうちの内側の２つの貫通孔１５２ａに突出部１５０ａが嵌め込まれる。これにより、リード板１５２が基板１５０に取り付けられる。リード板１５２は、たとえば、基板１５０に溶着される。
【０１００】
図１１を参照して、各リード板１５４は、リード板１５２と同様に４つの貫通孔１５４ａを有する。４つの貫通孔１５４ａのうちの内側の２つの貫通孔１５４ａに突出部１５０ａが嵌め込まれる。これにより、各リード板１５４が基板１５０に取り付けられる。リード板１５４は、たとえば、基板１５０に溶着される。
【０１０１】
基板１５０において突出部１５０ａよりも内側に複数（この実施形態では３２個）の貫通孔１５０ｂが形成される。複数の貫通孔１５０ｂは、左右４列、上下８段に配列される。図１２（ｂ）を参照して、各リード板１５６は、４つの貫通孔１５６ａを有する。複数のリード板１５６は、各リード板１５６の内側の２つの貫通孔１５６ａが基板１５０の内側の２列の貫通孔１５０ｂにそれぞれ連通するように、上下方向に並んで配置される。
【０１０２】
図２、図３および図６を参照して、各リード板１５６（図２および図６参照）の前方からリード板１５６（図２および図６参照）の内側の２つの貫通孔１５６ａ（図１２（ｂ）参照）および基板１５０の内側の２列の貫通孔１５０ｂ（図１１および図１２（ｂ）参照）にネジ１５８が差し込まれる。これにより、複数のリード板１５６が基板１５０に固定される。
【０１０３】
図３を参照して、連結ユニット２８は、複数のネジ１６０によって第１電池ユニット２４に固定され、複数のネジ１６２によって第２電池ユニット２６に固定される。具体的には、基板１５０の後方から、基板１５０の最も左側の列の貫通孔１５０ｂ（図１１参照）およびリード板１５６（図１１参照）の最も左側の貫通孔１５６ａ（図１２（ｂ）参照）にネジ１６０が差し込まれる。
【０１０４】
図８を参照して、複数のネジ１６０はさらに、リード板１０２ａ（図７参照）の貫通孔１０２ｄ（図７参照）、複数のリード板１０２ｂの貫通孔１０２ｆ（図７参照）、およびリード板１０２ｃの貫通孔１０２ｇ（図７参照）にそれぞれ差し込まれる。そして、各ネジ１６０の先端部は、電池ホルダ９４のボス９４ｄに固定される。これにより、連結ユニット２８は、リード板１０２ａ（図７参照）の後端部、複数のリード板１０２ｂの後端部およびリード板１０２ｃの後端部とともに、第１電池ユニット２４の電池ホルダ９４に固定される。また、図６および図８を参照して、リード板１０２ａ（図６参照）の後端部、複数のリード板１０２ｂの後端部およびリード板１０２ｃの後端部がそれぞれリード板１５６に接続される。
【０１０５】
図３を参照して、基板１５０の後方から、基板１５０の最も右側の列の貫通孔１５０ｂ（図１１参照）およびリード板１５６（図１１参照）の最も右側の貫通孔１５６ａ（図１２（ｂ）参照）にネジ１６２が差し込まれる。図２を参照して、複数のネジ１６２（図３参照）はさらに、リード板１０８の貫通孔１０８ｅ（図９参照）、複数のリード板１０８ｂの貫通孔１０８ｇ（図９参照）、およびリード板１０８ｃの貫通孔１０８ｊ（図９参照）にそれぞれ差し込まれる。そして、図２および図９を参照して、各ネジ１６２（図３参照）の先端部は、電池ホルダ１０４のボス１０４ｅに固定される。これにより、連結ユニット２８は、リード板１０８ａの後端部、複数のリード板１０８ｂの後端部およびリード板１０８ｃの後端部とともに、第２電池ユニット２６の電池ホルダ１０４に固定される。また、リード板１０８ａの後端部、複数のリード板１０８ｂの後端部およびリード板１０８ｃの後端部がそれぞれリード板１５６に接続される。
【０１０６】
図３を参照して、リード板１５２の左端部および複数のリード板１５４の左端部は、それぞれ複数のリード板１００の後端部とともにネジ１６４によって電池ホルダ９２のボス９２ｄに固定される。具体的には、リード板１５２の左端部の貫通孔１５２ａ（図１１参照）およびリード板１００の貫通孔１００ｂ（図７参照）にネジ１６４が差し込まれ、ネジ１６４の先端部がボス９２ｄに固定される。同様に、リード板１５４の左端部の貫通孔１５４ａ（図１１参照）およびリード板１００の貫通孔１００ｂ（図７参照）にネジ１６４が差し込まれ、ネジ１６４の先端部がボス９２ｄに固定される。これにより、複数のリード板１００が、リード板１５２および複数のリード板１５４に接続される。
【０１０７】
同様に、リード板１５２の右端部および複数のリード板１５４の右端部は、それぞれ複数のリード板１１０の後端部とともにネジ１６６によって電池ホルダ１０６のボス１０６ｃに固定される。具体的には、リード板１５２の右端部の貫通孔１５２ａ（図１１参照）およびリード板１１０の貫通孔１１０ｂ（図９参照）にネジ１６６が差し込まれ、ネジ１６６の先端部がボス１０６ｃに固定される。同様に、リード板１５４の右端部の貫通孔１５４ａ（図１１参照）およびリード板１１０の貫通孔１１０ｂ（図９参照）にネジ１６６が差し込まれ、ネジ１６６の先端部がボス１０６ｃに固定される。これにより、複数のリード板１１０が、リード板１５２および複数のリード板１５４に接続される。
【０１０８】
図２を参照して、上述のように、電池ユニット２２においては、連結ユニット２８の複数のリード板１５６によって、第１電池ユニット２４のリード板１０２ａ、複数のリード板１０２ｂおよびリード板１０２ｃと、第２電池ユニット２６のリード板１０８ａ、複数のリード板１０８ｂおよびリード板１０８ｃとがそれぞれ連結される。また、図３を参照して、連結ユニット２８のリード板１５２および複数のリード板１５４によって、第１電池ユニット２４の複数のリード板１００と第２電池ユニット２６の複数のリード板１１０とがそれぞれ連結される。
【０１０９】
これらの結果、図１０を参照して、第１電池ユニット２４の１段目の複数の電池９０と第２電池ユニット２６の１段目の複数の電池９０とが、リード板１５６およびリード板１５２によって電気的に並列に接続される。また、第１電池ユニット２４の２段目の複数の電池９０と第２電池ユニット２６の２段目の複数の電池９０とが、リード板１５２およびリード板１５６によって電気的に並列に接続される。さらに、第１電池ユニット２４の３段目の複数の電池９０と第２電池ユニット２６の３段目の複数の電池９０とが、リード板１５６およびリード板１５４によって電気的に並列に接続される。同様に、第１電池ユニット２４の４段目から１４段目の複数の電池９０と、第２電池ユニット２６の４段目から１４段目の複数の電池９０とが、リード板１５４およびリード板１５６によってそれぞれ電気的に並列に接続される。このように、電池パック１０では、リード板１１２、リード板１２８、リード板１５２、複数のリード板１５４、および複数のリード板１５６によって、第１電池ユニット２４と第２電池ユニット２６とを電気的に接続する接続部Ｘ４が構成される。
【０１１０】
図２を参照して、上述したように、複数のリード板１００、リード板１０２ａ、複数のリード板１０２ｂ、およびリード板１０２ｃは、制御部９６の回路基板９６ａに接続される。これにより、図１０を参照して、制御部９６は、第１電池ユニット２４の各段の電池９０および第２電池ユニット２６の各段の電池９０の電圧を検出することができる。
【０１１１】
なお、図面が煩雑になることを避けるために図１０以外の各図には図示していないが、電池ユニット２２は、充電用のプラス端子１６８、電池９０の情報（温度、電流、電圧および使用頻度等）を電池パック１０の外部の装置に送信するためのＴＸＤ端子１７０、および電池９０の制御情報を電池パック１０の外部の装置から受信するためのＲＸＤ端子１７２をさらに備える。プラス端子１６８、ＴＸＤ端子１７０およびＲＸＤ端子１７２は、それぞれ制御部９６に電気的に接続される。
【０１１２】
図２、図３および図６を参照して、電池ホルダ９２の４つのボス９２ｆと電池ホルダ１０４の４つのボス１０４ｇとによってそれぞれ支持されるように、４本の円筒状のカラー１７４が設けられる。図５を参照して、前方側の２本のカラー１７４（図５においては、１本のカラー１７４のみ図示）は、連結部Ｘ３の貫通孔４６ａおよび貫通孔５４ａを通るように配置される。後方側の２本のカラー１７４（図５においては、１本のカラー１７４のみ図示）は、連結部Ｘ３の貫通孔４８ａおよび貫通孔５６ａを通るように配置される。
【０１１３】
図６を参照して、第１ケース部１４の支持部３０の一対のボス３６ａの先端部（右端部）および一対のボス３８ａの先端部（右端部）は、４つのボス９２ｆにそれぞれ嵌め込まれる。同様に、第４ケース部２０の支持部６６の一対のボス７２ａの先端部（左端部）および一対のボス７４ａの先端部（左端部）は、４つのボス１０４ｇにそれぞれ嵌め込まれる。また、上側の２本のカラー１７４の左端部は、ボス９２ｆを貫通してボス３６ａ内に嵌め込まれ、右端部は、ボス１０４ｇを貫通してボス７２ａに嵌め込まれる。同様に、下側の２本のカラー１７４の左端部は、ボス９２ｆを貫通してボス３８ａに嵌め込まれ、右端部は、ボス１０４ｇを貫通してボス７４ａに嵌め込まれる。このような構成において、第４ケース部２０の右側から、各カラー１７４にボルト１７６が挿通され、各ボルト１７６の先端部にナット１７８が取り付けられる。これにより、電池ユニット２２が、支持部３０および支持部６６によって支持される。
【０１１４】
また、図４および図７を参照して、第１ケース部１４（図４参照）の左側から第１ケース部１４（図４参照）の貫通孔４２ａ（図４参照）およびリード板１００（図７参照）の貫通孔１００ａ（図７参照）にネジ（図示せず）が差し込まれ、そのネジの先端部が電池ホルダ９２（図７参照）のネジ穴９２ｇ（図７参照）に固定される。これにより、第１ケース部１４（図４参照）と第１電池ユニット２４とが互いに固定される。
【０１１５】
また、第２ケース部１６（図４参照）の右側から第２ケース部１６（図４参照）の貫通孔５０ａ（図４参照）およびリード板１０２ｂ（図７参照）の貫通孔１０２ｅ（図７参照）にネジ（図示せず）が差し込まれ、そのネジの先端部が電池ホルダ９４（図７参照）のネジ穴（図示せず）に固定される。これにより、第２ケース部１６（図４参照）と第１電池ユニット２４とが互いに固定される。
【０１１６】
また、図４および図９を参照して、第３ケース部１８（図４参照）の左側から第３ケース部１８（図４参照）の貫通孔５８ａ（図４参照）およびリード板１０８ｂ（図９参照）の貫通孔１０８ｆ（図９参照）にネジ（図示せず）が差し込まれ、そのネジの先端部が電池ホルダ１０４（図９参照）のネジ穴１０４ｈ（図９参照）に固定される。これにより、第３ケース部１８（図４参照）と第２電池ユニット２６とが互いに固定される。
【０１１７】
また、第４ケース部２０（図４参照）の右側から第４ケース部２０（図４参照）の貫通孔８０ａ（図４参照）およびリード板１１０（図９参照）の貫通孔１１０ａ（図９参照）にネジ（図示せず）が差し込まれ、そのネジの先端部が電池ホルダ１０６（図９参照）のネジ穴（図示せず）に固定される。これにより、第４ケース部２０（図４参照）と第２電池ユニット２６とが互いに固定される。
【０１１８】
このように、電池パック１０においては、複数のネジによって第１ケース部１４および第２ケース部１６が連結ユニット２８に固定され、複数のネジによって第３ケース部１８および第４ケース部２０が第２電池ユニット２６に固定される。
【０１１９】
以下、電池パック１０の作用効果を説明する。
電池パック１０では、ケース１２の第１収容空間８６に第１電池ユニット２４が収容され、第２収容空間８８に第２電池ユニット２６が収容され、第１電池ユニット２４の複数の電池９０と第２電池ユニット２６の複数の電池９０とは、接続部Ｘ４によって電気的に接続される。このように、電池パック１０は、接続部Ｘ４によって電気的に接続された第１電池ユニット２４および第２電池ユニット２６を有するので、エネルギー量を大きくできる。また、第１電池ユニット２４と第２電池ユニット２６とは放熱用空間８４を挟んで配置されるので、複数の電池９０を配置するための平面的なスペースが大きくなることを抑制できる。また、第１電池ユニット２４において発生された熱は、第１ケース部１４の放熱部３２からケース１２の外部へ放出されるとともに、第２ケース部１６の板状部５０から放熱用空間８４へ放出される。また、第２電池ユニット２６において発生された熱は、第４ケース部２０の放熱部６８からケース１２の外部へ放出されるとともに、第３ケース部１８の板状部５８から放熱用空間８４へ放出される。すなわち、電池パック１０では、放熱用空間８４を電池ユニット２２において発生した熱を放出するための空間として利用することができるので、電池パック１０の放熱性を高くできる。
【０１２０】
また、電池パック１０では、第１ケース部１４と第２ケース部１６とを組み合わせることによって第１収容部Ｘ１が形成され、第２ケース部１６と第３ケース部１８とを組み合わせることによって連結部Ｘ３が形成され、第３ケース部１８と第４ケース部２０とを組み合わせることによって第２収容部Ｘ２が形成される。また、第２ケース部１６と第３ケース部１８とを組み合わせることによって、第２ケース部１６と第３ケース部１８との間に放熱用空間８４が形成される。このようにして簡単にケース１２を得ることができる。
【０１２１】
また、電池パック１０では、第１電池ユニット２４と第２電池ユニット２６とを電気的に接続する接続部Ｘ４（図１０参照）がケース１２内に収容される。ここで、第１電池ユニット２４と第２電池ユニット２６とを電気的に接続するための接続部Ｘ４の一部がケース１２の外部に設けられる場合には、接続部Ｘ４をケース１２の外部に案内するための案内部（たとえば、ケースを貫通する孔等）をケース１２に設けなければならない。この場合、案内部においてケース１２の密封性が低下するので、ケース１２の密封性を高めるための措置（防水シール等）を案内部に施す必要がある。しかし、電池パック１０では、接続部Ｘ４がケース１２内に収容されるので、接続部Ｘ４をケース１２の外部に案内するための案内部を設けなくてよい。そのため、上記のような密封性を向上させるための措置が必要無く、ケース１２の密封性を容易に高めることができる。
【０１２２】
また、図８を参照して、第１電池ユニット２４を側方から見た場合（たとえば、第２収容部Ｘ２（図５参照）から見た場合）に、枠部４６，４８（図１参照）の一部および枠部５４，５６の一部、すなわち連結部Ｘ３（図５参照）の一部が第１電池ユニット２４の一部と重なっている。同様に、図５を参照して、第２電池ユニット２６を側方から見た場合（たとえば、第１収容部Ｘ１から見た場合）に、連結部Ｘ３の一部が、第２電池ユニット２６の一部と重なっている。このように連結部Ｘ３を形成することによって、ケース１２の前後方向の長さを短くできる。それにより、ケース１２の平面的な大きさを小さくでき、電池パック１０を小型に構成できる。
【０１２３】
また、電池パック１０では、連結部Ｘ３は、第１収容部Ｘ１と第２収容部Ｘ２とを連結する役割を担うとともに、接続部Ｘ４（図１０参照）を第１収容部Ｘ１から第２収容部Ｘ２に案内する役割を担う。そのため、電池パック１０では、接続部Ｘ４を第１収容部Ｘ１から第２収容部Ｘ２に案内するための構成を連結部Ｘ３とは別に設ける必要がない。その結果、電池パック１０の構成を簡単にすることができる。
【０１２４】
また、電池パック１０では、各電池９０の一端面（端部電極９０ａまたは端部電極９０ｂ）が放熱用空間８４に向くように複数の電池９０が配置される。それにより、各電池９０が発した熱を放熱用空間８４に効率よく放出することができる。また、電池パック１０では、略円柱形状の電池９０が用いられ、電池９０の軸方向における長さは電池９０の直径よりも長い。そのため、各電池９０の一端面（端部電極９０ａまたは端部電極９０ｂ）が放熱用空間８４に向くように複数の電池９０を配置することによって、各電池９０の外周面が放熱用空間８４に向くように複数の電池９０を配置する場合に比べて、複数の電池９０を配置するための平面的なスペースを小さくすることができる。これらの結果、放熱性が向上したコンパクトな電池パック１０を得ることができる。
【０１２５】
また、電池パック１０では、上下方向に貫通する貫通孔を放熱用空間８４として利用しているので、放熱用空間８４を介して上下方向に効率よく熱を放出することができる。
【０１２６】
また、電池パック１０では、第１電池ユニット２４の複数の電池９０と第２電池ユニット２６の複数の電池９０とが電気的に並列に接続されるので、電池パック１０のエネルギー容量を十分に大きくすることができる。
【０１２７】
また、電池パック１０では、１つの制御部９６によって第１電池ユニット２４および第２電池ユニット２６を制御できるので、電池パック１０の制御系を簡単な構成で構築できる。
【０１２８】
また、電池パック１０では、基板１５０、リード板１５２、複数のリード板１５４および複数のリード板１５６をユニット化することによって連結ユニット２８を構成し、連結ユニット２８を第１電池ユニット２４および第２電池ユニット２６に取り付けることによって第１電池ユニット２４と第２電池ユニット２６とを電気的に接続している。この場合、リード板１５２、複数のリード板１５４および複数のリード板１５６を１つずつ第１電池ユニット２４および第２電池ユニット２６に取り付ける場合に比べて、電池パック１０の組み立て性を向上できる。
【０１２９】
なお、上述の実施形態では、第１電池ユニット２４および第２電池ユニット２６が、接続部Ｘ４（図１０参照）によって電気的に接続されているが、接続部Ｘ４のリード板１５２、複数のリード板１５４および複数のリード板１５６は設けられなくてもよい。この場合、リード板１１２およびリード板１２８によって、第１電池ユニット２４と第２電池ユニット２６とを電気的に接続する接続部が構成される。  また、上述の実施形態では、第１電池ユニット２４と第２電池ユニット２６とが電気的に並列に接続されているが、第１電池ユニットと第２電池ユニットとが電気的に直列に接続されてもよい。
【０１３０】
図１３は、第１電池ユニットと第２電池ユニットとが電気的に直列に接続された電池パック１０ａを示す図である。
【０１３１】
図１３を参照して、電池パック１０ａは、筺体状のケース１８０を含む。ケース１８０は、第１ケース部１８２、第２ケース部１８４、第３ケース部１８６および第４ケース部１８８を含む。上述の電池パック１０のケース１２と同様に、ケース１８０は、たとえば、樹脂等の絶縁材料によって形成される。
【０１３２】
図１４は、ケース１２に収容される電池ユニット２２ａを示す前方斜視図であり、図１５は、電池ユニット２２ａを示す後方斜視図である。また、図１６は、電池パック１０ａを示す分解斜視図である。
【０１３３】
図１４〜図１６を参照して、電池ユニット２２ａ（図１４および図１５参照）は、第１電池ユニット２４ａおよび第２電池ユニット２６ａを含む。図１６を参照して、第１電池ユニット２４ａは、第１ケース部１８２と第２ケース部１８４との間に配置され、第２電池ユニット２６ａは、第３ケース部１８６と第４ケース部１８８との間に配置される。
【０１３４】
図１７は、電池パック１０ａを示す正面図解図であり、図１８は、電池パック１０ａを示す平面図解図であり、図１９は、電池パック１０ａを示す底面図解図である。なお、図１８および図１９においては、ケース１８０を上下方向における中央部で切断した場合のケース１８０の切断面が示されている。また、図１７においては、図１８のＤ−Ｄ線で切断した場合のケース１８０の切断面が示されている。なお、図１７〜図１９においては、図面が煩雑になることを避けるために、電池ユニット２２ａを簡略化して示している。
【０１３５】
図１３、図１６および図１７を参照して、第１ケース部１８２は、支持部１９０および支持部１９０から左方向に突出する放熱部１９２を含む。図１６および図１７を参照して、支持部１９０は、電池パック１０の第１ケース部１４（図１参照）と同様に、枠部１９４および側壁部１９６，１９８を含む。図１７を参照して、側壁部１９６は、右方向に延びる一対のボス１９６ａ（図１７には、１つのボス１９６ａのみ図示）、および後述するプラス端子２８４をケース１８０の内部からケース１８０の外部へ突出させるための貫通孔（図示せず）を有する。電池パック１０の一対のボス３６ａ（図１参照）と同様に、一対のボス１９６ａのうちの一方のボス１９６ａは、側壁部１９６の前端部に設けられ、他方のボス１９６ａは、側壁部１９６の後端部に設けられる。
【０１３６】
図１６および図１７を参照して、側壁部１９８は、右方向に延びる一対のボス１９８ａ（図１７には、１つのボス１９８ａのみ図示）を有する。一対のボス１９８ａのうちの一方のボス１９８ａは、側壁部１９８の前端部に設けられ、他方のボス１９８ａは、側壁部１９８の後端部に設けられる。
【０１３７】
図１３および図１６を参照して、第２ケース部１８４は、側面視略長方形の枠部２００、枠部２００の前端部から右方向に延びる側面視略長方形の枠部２０２、および枠部２００の後端部から右方向に延びる側面視略長方形の枠部２０４を含む。なお、図１３においては、枠部２００と枠部２０２との境界および枠部２００と枠部２０４との境界が一点鎖線で示されている。
【０１３８】
図１６を参照して、第２ケース部１８４は、さらに、枠部２００の右端部において、枠部２０２と枠部２０４とを接続するように設けられる長方形の板状部２０６を含む。板状部２０６の上端部および下端部は枠部２００に接続される。枠部２０２および枠部２０４は、板状部２０６よりも右側に突出している。
【０１３９】
図１６、図１８および図１９を参照して、第２ケース部１８４においては、枠部２００によって略直方体状の開口２００ａが形成され、枠部２０２によって左右方向に貫通する略直方体状の貫通孔２０２ａが形成され、枠部２０４によって左右方向に貫通する略直方体状の貫通孔２０４ａが形成される。貫通孔２０２ａおよび貫通孔２０４ａは、それぞれ開口２００ａに連通している。
【０１４０】
図１７〜図１９を参照して、枠部２００の左縁に沿って溝部２００ｂが形成される。なお、図１６においては、図面が煩雑になることを避けるために、溝部２００ｂは図示していない。図１６〜図１９を参照して、環状の防水シール２０８が溝部２００ｂ（図１７〜図１９参照）に嵌められた状態で、第１ケース部１８２の枠部１９４が溝部２００ｂ（図１７〜図１９参照）に差し込まれる。これにより、第１ケース部１８２と第２ケース部１８４とが接続される。第１ケース部１８２と第２ケース部１８４とは、さらに、ネジ等の複数の締結具（図示せず）によって互いに固定される。
【０１４１】
図１３および図１６を参照して、第３ケース部１８６は、前後方向に離れてかつ互いに対して略平行に設けられる枠部２１０，２１２、および枠部２１０と枠部２１２とを接続するように設けられる板状部２１４を含む。枠部２１０、枠部２１２および板状部２１４はそれぞれ、側面視において略長方形状を有する。枠部２１０および枠部２１２は、板状部２１４よりも左側に突出している。
【０１４２】
図１６、図１８および図１９を参照して、第３ケース部１８６はさらに、その外周縁に沿って設けられかつ枠部２１０、枠部２１２および板状部２１４から右方向に突出する突出部２１６を含む。
【０１４３】
第３ケース部１８においては、枠部２１０によって左右方向に貫通する略直方体状の貫通孔２１０ａが形成され、枠部２１２によって左右方向に貫通する略直方体状の貫通孔２１２ａが形成される。
【０１４４】
図１８および図１９を参照して、枠部２１０の左縁に沿って溝部２１０ｂが形成され、枠部２１２の左縁に沿って溝部２１２ｂが形成される。溝部２１０ｂおよび溝部２１２ｂは、左方向に向かって開口している。なお、図１６においては、図面が煩雑になることを避けるために、溝部２１０ｂおよび溝部２１２ｂは図示していない。
【０１４５】
図１６、図１８および図１９を参照して、環状の防水シール２１８が溝部２１０ｂ（図１８および図１９参照）に嵌められた状態で、第２ケース部１８４の枠部２０２が溝部２１０ｂ（図１８および図１９参照）に差し込まれる。同様に、環状の防水シール２２０が溝部２１２ｂ（図１８および図１９参照）に嵌められた状態で、第２ケース部１８４の枠部２０４が溝部２１２ｂ（図１８および図１９参照）に差し込まれる。これにより、枠部２０２と枠部２１０とが接続され、枠部２０４と枠部２１２とが接続される。すなわち、第２ケース部１８４と第３ケース部１８６とが接続される。第２ケース部１８４と第３ケース部１８６とは、さらに、ネジ等の複数の締結具（図示せず）によって互いに固定される。
【０１４６】
図１３、図１６および図１７を参照して、第４ケース部１８８は、支持部２２２および支持部２２２から右方向に突出する放熱部２２４を含む。支持部２２２は、支持部１９０と同様に、枠部２２６および側壁部２２８，２３０を含む。
【０１４７】
図１３を参照して、側壁部２２８は、左方向に延びる一対のボス２２８ａ、および後述するマイナス端子２７０をケース１８０の内部からケース１８０の外部へ突出させるための貫通孔２２８ｂを有する。一方のボス２２８ａは、側壁部１９６（図１７参照）の前端部に設けられたボス１９６ａ（図１７参照）と左右方向において対向するように、側壁部２２８（図１７参照）の前端部に設けられる。他方のボス２２８ａは、側壁部１９６（図１７参照）の後端部に設けられたボス１９６ａと左右方向において対向するように、側壁部２２８の後端部に設けられる。
【０１４８】
図１７を参照して、側壁部２３０は、第１ケース部１８２の側壁部１９８と同様に、左方向に延びる一対のボス２３０ａ（図１７においては１つのボス２３０ａのみ図示）を有する。一方のボス２３０ａは、側壁部１９８の前端部に設けられたボス１９８ａと左右方向において対向するように、側壁部２３０の前端部に設けられる。他方のボス２３０ａは、側壁部１９８の後端部に設けられたボス１９８ａと左右方向において対向するように、側壁部２３０の後端部に設けられる。
【０１４９】
図１７〜図１９を参照して、枠部２２６の左縁に沿って溝部２２６ａが形成される。溝部２２６ａは、左方向に向かって開口している。なお、図１６においては、図面が煩雑になることを避けるために、溝部２２６ａは図示していない。図１６〜図１９を参照して、環状の防水シール２３２が溝部２２６ａ（図１７〜図１９参照）に嵌められた状態で、第３ケース部１８６の突出部２１６が溝部２２６ａ（図１７〜図１９参照）に差し込まれる。これにより、第３ケース部１８６と第４ケース部１８８とが接続される。第３ケース部１８６と第４ケース部１８８とは、さらに、ネジ等の複数の締結具（図示せず）によって互いに固定される。
【０１５０】
図１３および図１８を参照して、上述のように組み合わされたケース１８０においては、第２ケース部１８４および第３ケース部１８６によって、ケース１８０の略中央部に、上下方向に貫通する放熱用空間２３４が形成される。この実施形態では、放熱用空間２３４は、貫通孔として形成される。また、図１８および図１９を参照して、この実施形態では、第１ケース部１８２、第２ケース部１８４の枠部２００、および第２ケース部１８４の板状部２０６によって第１収容部Ｙ１が構成され、第３ケース部１８６の板状部２１４、第３ケース部１８６の突出部２１６および第４ケース部１８８によって第２収容部Ｙ２が構成され、第２ケース部１８４の枠部２０２、第２ケース部１８４の枠部２０４、第３ケース部１８６の枠部２１０および第３ケース部１８６の枠部２１２によって連結部Ｙ３が構成される。図１８を参照して、第１収容部Ｙ１は、第１電池ユニット２４ａを収容するための第１収容空間２３６を有し、第２収容部Ｙ２は、第２電池ユニット２６ａを収容するための第２収容空間２３８を有する。第１収容空間２３６と第２収容空間２３８とは、連結部Ｙ３の貫通孔２０２ａ，２０４ａ，２１０ａ，２１２ａを介して連通している。
【０１５１】
次に、電池ユニット２２ａについて詳細に説明する。まず、第２電池ユニット２６ａについて説明する。
図２０は、第２電池ユニット２６ａを示す分解斜視図である。また、図２１は、電池パック１０ａの内部を右側から見た側面図解図である。なお、図２１においては、電池パック１０ａの内部構造を理解し易くするために、第４ケース部１８８（図１６参照）および防水シール２３２（図１６参照）は図示していない。
【０１５２】
図１４、図２０および図２１を参照して、第２電池ユニット２６ａは、互いに平行に配置される複数の充電できる電池９０（図２０および図２１参照）、電池ホルダ２４０、電池ホルダ２４２（図７参照）、および制御部２４４を含む。電池９０としては、電池パック１０の電池９０と同じ電池を用いることができる。図２０および図２１を参照して、この実施形態では、電池９０は、前後１２列、上下７段に配列される。上下に隣り合う段の電池９０は、前後にずらせて互いに隣の電池９０がその中間に位置するように並べられる。また、上下に隣り合う段の電池９０は、互いに隣の電池９０と逆の方向を向き、前後に隣り合う列の電池９０は、互いに隣の電池９０と同じ方向を向くように並べられる。具体的には、上から１段目、３段目、５段目および７段目の電池９０は、端部電極９０ａ（プラス極）が左側を向くように並べられ、上から２段目、４段目および６段目の電池９０は、端部電極９０ｂ（マイナス極）が左側を向くように並べられる。
【０１５３】
図１４および図２０を参照して、電池ホルダ２４０は、略長方形の板状部２４０ａ、板状部２４０ａから左方向に突出するホルダ部２４０ｂ、ホルダ部２４０ｂから前方に延びる複数（この実施形態では２つ）のボス２４０ｃ（図２０参照）、およびホルダ部２４０ｂから上方に延びる略長方形の板状部２４０ｄを含む。板状部２４０ｄは、板状部２４０ａよりも左側に設けられる。
【０１５４】
図２０を参照して、電池ホルダ２４０は、板状部２４０ａおよびホルダ部２４０ｂを左右方向に貫通する複数の貫通孔２４０ｅを有する。複数の貫通孔２４０ｅは、複数の電池９０に対応して形成される。板状部２４０ａの四隅には、略円筒状のボス２４０ｆが左右方向に延びるように設けられる。
【０１５５】
電池ホルダ２４２は、ホルダ部２４２ａ、およびホルダ部２４２ａから前方に延びるボス２４２ｂを含む。ホルダ部２４２ａは、左右方向に貫通する複数の貫通孔２４２ｃを有する。複数の貫通孔２４２ｃは、複数の電池９０に対応して形成される。
【０１５６】
電池９０が貫通孔２４０ｅおよび貫通孔２４２ｃに収容されるように、電池ホルダ２４０と電池ホルダ２４２とが組み合わされる。電池ホルダ２４０および電池ホルダ２４２は、たとえば、図示しない複数の締結具（たとえば、ネジ）によって固定される。
【０１５７】
制御部２４４は、長方形の回路基板２４４ａならびに回路基板２４４ａに搭載されるＣＰＵ（図示せず）およびメモリ（図示せず）を含む。制御部２４４は、電池９０の温度、電流、電圧および使用頻度等を検出することによって電池９０の状態を監視するとともに、電池９０を制御する。制御部２４４としては、たとえば、ＢＭＣ（バッテリ・マネジメント・コントローラ）を用いることができる。
【０１５８】
図１４、図２０および図２１を参照して、回路基板２４４ａは、複数（この実施形態では３本）のネジ２４６（図１４および図２１参照）によって電池ホルダ２４０（図１４および図２０参照）のボス２４０ｃ（図２０および図２１参照）および電池ホルダ２４２（図１４および図２０参照）のボス２４２ｂ（図２０および図２１参照）に取り付けられる。これによって、制御部２４４が電池ホルダ２４０および電池ホルダ２４２に固定される。
【０１５９】
図２０を参照して、複数の電池９０の左端部に、複数（この実施形態では３つ）のリード板２４８ａおよびリード板２４８ｂが接続される。具体的には、上から１段目の複数の電池９０の端部電極９０ａ（プラス極）および２段目の複数の電池９０の端部電極９０ｂ（マイナス極）に１つのリード板２４８ａが接続される。これにより、１段目の複数の電池９０の端部電極９０ａが電気的に並列に接続され、２段目の複数の電池９０の端部電極９０ｂが電気的に並列に接続される。また、１段目の複数の電池９０の端部電極９０ａと２段目の複数の電池９０の端部電極９０ｂとが電気的に直列に接続される。リード板２４８ｂは、たとえば端部電極９０ａおよび端部電極９０ｂに溶接される。同様に、３段目から６段目の複数の電池９０に、２つのリード板２４８ａが接続される。
【０１６０】
リード板２４８ｂは、前後方向に延びる本体部２４８ｃ、および本体部２４８ｃから下方に突出する鉤状部２４８ｄを有する。鉤状部２４８ｄの先端部は、右方向に延びている。上から７段目の複数の電池９０の端部電極９０ａに、リード板２４８ｂの本体部２４８ｃが接続される。これにより、７段目の複数の電池９０の端部電極９０ａが電気的に並列に接続される。リード板２４８ｂの本体部２４８ｃは、たとえば端部電極９０ａに溶接される。図１９を参照して、リード板２４８ｂの鉤状部２４８ｄは、ネジ２５０によって電池ホルダ２４０のホルダ部２４０ｂに固定される。
【０１６１】
図２０を参照して、複数の電池９０の右端部には、リード板２５２ａおよび複数（この実施形態では３つ）のリード板２５２ｂが接続される。リード板２５２ａは、前後方向に延びる本体部２５２ｃ、および本体部２５２ｃから上方に突出する鉤状部２５２ｄを有する。鉤状部２５２ｄの先端部は、左方向に延びている。上から１段目の複数の電池９０の端部電極９０ｂに、リード板２５２ａの本体部２５２ｃが接続される。これにより、１段目の複数の電池９０の端部電極９０ｂが電気的に並列に接続される。リード板２５２ａの本体部２５２ｃは、たとえば端部電極９０ｂに溶接される。図１４および図１８を参照して、リード板２５２ａの鉤状部２５２ｄは、ネジ２５４によって電池ホルダ２４２のホルダ部２４２ａに固定される。
【０１６２】
図２０を参照して、上から２段目の複数の電池９０の端部電極９０ａおよび３段目の複数の電池９０の端部電極９０ｂに１つのリード板２５２ｂが接続される。これにより、２段目の複数の電池９０の端部電極９０ａが電気的に並列に接続され、３段目の複数の電池９０の端部電極９０ｂが電気的に並列に接続される。また、２段目の複数の電池９０の端部電極９０ａと３段目の複数の電池９０の端部電極９０ｂとが電気的に直列に接続される。リード板２５２ｂは、たとえば端部電極９０ａおよび端部電極９０ｂに溶接される。同様に、４段目から７段目の複数の電池９０に、２つのリード板２５２ｂが接続される。
【０１６３】
第２電池ユニット２６ａにおいては、１段目から７段目の複数の電池９０が上述のように接続されることによって、各段の複数の電池９０が電気的に並列に接続されるとともに、１段目から７段目の複数の電池９０が電気的に直列に接続される。
【０１６４】
図１４を参照して、各リード板２４８ａの先端部、リード板２４８ｂの先端部、リード板２５２ａの先端部、および各リード板２５２ｂの先端部は、図示しないリード線等を介して制御部２４４の回路基板２４４ａに接続される。これにより、制御部２４４は、第２電池ユニット２６ａの各段の電池９０の電圧を検出することができる。
【０１６５】
図１４、図１８および図２１を参照して、電池ホルダ２４０の板状部２４０ｄには、電池パック１０の端子１３４，１３８（図２参照）と同様の端子２５６，２５８が設けられる。図２１を参照して、端子２５６は、側面視略Ｌ字形状のリード板２６０の一端部とともに、ネジ２６２によって板状部２４０ｄに固定される。図１４、図１８および図２１を参照して、リード板２６０の他端部は、リード板２５２ａの鉤状部２５２ｄとともに、ネジ２６４によってホルダ部２４２ａに固定される。これにより、第２電池ユニット２６ａの複数の電池９０と端子２５６とが電気的に接続される。
【０１６６】
図１４および図１８を参照して、端子２５８は、平面視において階段状に屈曲するリード板２６６の一端部とともに、ネジ２６８によって板状部２４０ｄに固定される。板状部２４０ａの上端部において板状部２４０ｄよりも前方には、右方向に延びるように充放電用のマイナス端子２７０が設けられる。マイナス端子２７０は、リード板２６６の他端部とともに板状部２４０ａに固定される。これにより、端子２５８とマイナス端子２７０とが電気的に接続される。
【０１６７】
次に、第１電池ユニット２４ａについて説明する。
図１４および図１５を参照して、第１電池ユニット２４ａは、電池ホルダ２７２、電池ホルダ２７４、および電池ホルダ２７２，２７４に収容される複数の電池９０（図１５参照）を含む。
【０１６８】
電池ホルダ２７２は、第２電池ユニット２６ａの電池ホルダ２４２のホルダ部２４２ａと同様の構成を有し、複数の電池９０を収容するための複数の貫通孔（図示せず）を有する。
【０１６９】
電池ホルダ２７４は、第２電池ユニット２６ａの電池ホルダ２４０と同様の構成を有し、略長方形の板状部２７４ａ、および板状部２７４ａから右方向に突出するホルダ部２７４ｂを含む。また、電池ホルダ２７４は、電池ホルダ２４０と同様に、複数の電池９０を収容するための複数の貫通孔（図示せず）を有する。板状部２７４ａの四隅には、略円筒状のボス２７４ｃが左右に延びるように設けられる。
【０１７０】
電池ホルダ２７２の複数の貫通孔および電池ホルダ２７４の複数の貫通孔に複数の電池９０が収容されるように、電池ホルダ２７２と電池ホルダ２７４とが組み合わされる。電池ホルダ２７２および電池ホルダ２７４は、たとえば、図示しない複数の締結具（たとえば、ネジ）によって固定される。
【０１７１】
この実施形態では、第１電池ユニット２４ａは、第２電池ユニット２６ａの電池９０と同数の電池９０を含む。また、第１電池ユニット２４ａの複数の電池９０は、図２０に示す第２電池ユニット２６ａの複数の電池９０と同じ向きおよび同じ配列で電池ホルダ２７２，２７４に収容される。したがって、電池ユニット２２ａにおいては、第１電池ユニット２４ａの電池９０の端部電極９０ａと第２電池ユニット２６ａの電池９０の端部電極９０ｂとが互いに向き合い、第１電池ユニット２４ａの電池９０の端部電極９０ｂと第２電池ユニット２６ａの電池９０の端部電極９０ｂとが互いに向き合うように、複数の電池９０が配列される。
【０１７２】
図１５を参照して、電池ホルダ２７２，２７４に収容された複数の電池９０の左端部に、リード板２７６ａおよび複数（この実施形態では３つ）のリード板２７６ｂが接続される。リード板２７６ａは、前後方向に延びる本体部２７６ｃ、および本体部２７６ｃから上方に突出する鉤状部２７６ｄを有する。鉤状部２７６ｄの先端部は、右方向に延びている。上から１段目の複数の電池９０の端部電極９０ａにリード板２７６ａの本体部２７６ｃが接続される。これにより、１段目の複数の電池９０の端部電極９０ａが電気的に並列に接続される。リード板２７６ａの本体部２７６ｃは、たとえば端部電極９０ａに溶接される。図１５および図１８を参照して、リード板２７６ａの鉤状部２７６ｄは、ネジ２７８によって電池ホルダ２４２のホルダ部２４２ａに固定される。
【０１７３】
図１５を参照して、上から２段目の複数の電池９０の端部電極９０ｂおよび上から３段目の複数の電池９０の端部電極９０ａに１つのリード板２７６ｂが接続される。これにより、２段目の複数の電池９０の端部電極９０ｂが電気的に並列に接続され、３段目の複数の電池９０の端部電極９０ａが電気的に並列に接続される。また、２段目の複数の電池９０の端部電極９０ｂと３段目の複数の電池９０の端部電極９０ａとが電気的に直列に接続される。リード板２７６ｂは、たとえば端部電極９０ｂおよび端部電極９０ａに溶接される。同様に、４段目から７段目の複数の電池９０に、２つのリード板２７６ｂが接続される。
【０１７４】
図１４を参照して、電池ホルダ２７２，２７４に収容された複数の電池９０（図１５参照）の右端部に、リード板２７８ａおよび複数（この実施形態では３つ）のリード板２７８ｂが接続される。具体的には、上から１段目の複数の電池９０（図１５参照）の端部電極９０ｂ（図１５参照）および２段目の複数の電池９０（図１５参照）の端部電極９０ａ（図１５参照）に１つのリード板２７８ａが接続される。これにより、１段目の複数の電池９０の端部電極９０ｂが電気的に並列に接続され、２段目の複数の電池９０の端部電極９０ａが電気的に並列に接続される。また、１段目の複数の電池９０の端部電極９０ｂと２段目の複数の電池９０の端部電極９０ａとが電気的に直列に接続される。リード板２７８ｂは、たとえば端部電極９０ｂおよび端部電極９０ａに溶接される。同様に、３段目から６段目の複数の電池９０に、２つのリード板２７８ａが接続される。
【０１７５】
図１６を参照して、リード板２７８ｂは、前後方向に延びる本体部２７８ｃ、および本体部２７８ｃから下方に突出する鉤状部２７８ｄを有する。鉤状部２７８ｄの先端部は、左方向に延びている。上から７段目の複数の電池９０（図１５参照）の端部電極９０ｂ（図１５参照）に、リード板２７８ｂの本体部２７８ｃが接続される。これにより、７段目の複数の電池９０の端部電極９０ｂが電気的に並列に接続される。リード板２７８ｂの本体部２７８ｃは、たとえば端部電極９０ｂに溶接される。図１９を参照して、リード板２７８ｂの鉤状部２７８ｄは、ネジ２８０によって電池ホルダ２７４のホルダ部２７４ｂに固定される。
【０１７６】
第１電池ユニット２４ａにおいては、１段目から７段目の複数の電池９０が上述のように接続されることによって、各段の複数の電池９０が電気的に並列に接続されるとともに、１段目から７段目の複数の電池９０が電気的に直列に接続される。
【０１７７】
図１４および図１７を参照して、リード板２７６ａ、複数のリード板２７６ｂ、複数のリード板２７８ａおよびリード板２７８ｂは、複数のリード線２８１によって制御部２４４の回路基板２４４ａに電気的に接続される。これにより、制御部２４４は、第１電池ユニット２４ａの各段の電池９０の電圧を検出することができる。
【０１７８】
図１５および図１８を参照して、板状部２７４ａの上端部において鉤状部２７６ｄの前方にヒューズ２８２が設けられ、ヒューズ２８２の前方には、左方向に延びるように放電用のプラス端子２８４が設けられる。ヒューズ２８２の一方の端子２８２ａは、略Ｌ字形状のリード板２８６の上端部とともにネジ２８８によって板状部２７４ａに固定される。リード板２８６の下端部は、リード板２７６ａの鉤状部２７６ｄとともに、ネジ２９０によって電池ホルダ２７２に固定される。図１８を参照して、ヒューズ２８２の他方の端子２８２ｂは、前後方向に延びるリード板２９２の後端部とともにネジ２９４によって板状部２７４ａに固定される。リード板２９２の前端部は、プラス端子２８４とともに板状部２７４ａに固定される。これにより、図２２に示すように、第１電池ユニット２４ａの複数の電池９０が、ヒューズ２８２を介してプラス端子２８４に電気的に接続される。
【０１７９】
図１９を参照して、連結部Ｙ３の貫通孔２０２ａ，２１０ａを通って左右方向に延びるように接続部２９６が設けられる。接続部２９６の一端は、リード板２７８ｂの鉤状部２７８ｄとともにネジ２９７によってホルダ部２７４ｂに固定され、他端は、リード板２４８ｂの鉤状部２４８ｄとともにネジ２９７によってホルダ部２４０ｂに固定される。これにより、図２２に示すように、第１電池ユニット２４ａの複数の電池９０と第２電池ユニット２６ｂの複数の電池９０とが接続部２９６によって電気的に直列に接続される。接続部２９６としては、たとえば、リード板またはリード線を用いることができる。
【０１８０】
図１３を参照して、第４ケース部１８８の枠部２２６には、サービスプラグ２９８が取り付けられる。サービスプラグ２９８は、枠部２２６からケース１８０内に突出する連結端子（図示せず）を有し、その連結端子によって端子２５６（図１４参照）と端子２５８（図１４参照）とが連結される。これにより、図２２を参照して、電気的に直列に接続された第１電池ユニット２４ａの複数の電池９０および第２電池ユニット２６ａの複数の電池９０が、サービスプラグ２９８を介してマイナス端子２７０に電気的に接続される。なお、電池パック１０のサービスプラグ１４８と同様に、サービスプラグ２９８は、着脱可能に枠部２２６に設けられる。
【０１８１】
なお、図面が煩雑になることを避けるために図２２以外の各図には図示していないが、電池ユニット２２ａは、充電用のプラス端子３００、電池９０の情報（温度、電流、電圧および使用頻度等）を電池パック１０ａの外部の装置に送信するためのＴＸＤ端子３０２、および電池９０の制御情報を電池パック１０ａの外部の装置から受信するためのＲＸＤ端子３０４をさらに備える。プラス端子３００、ＴＸＤ端子３０２およびＲＸＤ端子３０４は、それぞれ制御部２４４に電気的に接続される。
【０１８２】
図１４〜図１９を参照して、電池ホルダ２７４の４つのボス２７４ｃと電池ホルダ２４０の４つのボス２４０ｆとによってそれぞれ支持されるように、４本の円筒状のカラー３０６が設けられる。図１８および図１９を参照して、前方側の２本のカラー３０６は、連結部Ｙ３の貫通孔２０２ａ，２１０ａを通るように配置される。後方側の２本のカラー３０６は、連結部Ｙ３の貫通孔２０４ａ，２１２ａを通るように配置される。なお、図１８および図１９には示していないが、複数のリード線２８１（図１７参照）は、連結部Ｘ３の貫通孔２０２ａ，２１０ａを通るように設けられる。
【０１８３】
図１７を参照して、第１ケース部１８２の一対のボス１９６ａ（図１７においては、１つのボス１９６ａのみ図示）の先端部（右端部）および一対のボス１９８ａ（図１７においては、１つのボス１９８ａのみ図示）の先端部は、４つのボス２７４ｃにそれぞれ嵌め込まれる。同様に、第４ケース部１８８の一対のボス２２８ａ（図１７においては、１つのボス２２８ａのみ図示）の先端部（左端部）および一対のボス２３０ａ（図１７においては、１つのボス２３０ａのみ図示）の先端部は、４つのボス２４０ｆにそれぞれ嵌め込まれる。そして、第４ケース部１８８の右側から、各カラー３０６にボルト３０８が挿通され、各ボルト３０８の先端部にナット３１０が取り付けられる。これにより、電池ユニット２２ａが、支持部１９０および支持部２２２によって支持される。
【０１８４】
以下、電池パック１０ａの作用効果を説明する。
電池パック１０ａは、電池パック１０と同様に、接続部２９６によって電気的に接続された第１電池ユニット２４ａおよび第２電池ユニット２６ａを有するので、エネルギー量を大きくできる。また、第１電池ユニット２４ａと第２電池ユニット２６ａとは放熱用空間２３４を挟んで配置されるので、複数の電池９０を配置するための平面的なスペースが大きくなることを抑制できる。また、第１電池ユニット２４ａにおいて発生された熱は、第１ケース部１８２の放熱部１９２からケース１８０の外部へ放出されるとともに、第２ケース部１８４の板状部２０６から放熱用空間２３４へ放出される。また、第２電池ユニット２６ａにおいて発生された熱は、第４ケース部１８８の放熱部２２４からケース１８０の外部へ放出されるとともに、第３ケース部１８６の板状部２１４から放熱用空間２３４へ放出される。これらの結果、電池パック１０ａの放熱性を高くできる。
【０１８５】
また、電池パック１０ａでは、第１ケース部１８２と第２ケース部１８４とを組み合わせることによって第１収容部Ｙ１が形成され、第２ケース部１８４と第３ケース部１８６とを組み合わせることによって連結部Ｙ３が形成され、第３ケース部１８６と第４ケース部１８８とを組み合わせることによって第２収容部Ｙ２が形成される。また、第２ケース部１８４と第３ケース部１８６とを組み合わせることによって、第２ケース部１８４と第３ケース部１８６との間に放熱用空間２３４が形成される。このようにして簡単にケース１８０を得ることができる。
【０１８６】
また、電池パック１０ａでは、第１電池ユニット２４ａと第２電池ユニット２６ａとを電気的に接続する接続部２９６がケース１８０内に収容される。ここで、第１電池ユニット２４ａと第２電池ユニット２６ａとを電気的に接続するための接続部２９６の一部がケース１８０の外部に設けられる場合には、接続部２９６をケース１８０の外部に案内するための案内部（たとえば、ケースを貫通する孔等）をケース１８０に設けなければならない。この場合、案内部においてケース１８０の密封性が低下するので、ケース１８０の密封性を高めるための措置（防水シール等）を案内部に施す必要がある。しかし、電池パック１０ａでは、接続部２９６がケース１８０内に収容されるので、接続部２９６をケース１８０の外部に案内するための案内部を設けなくてよい。そのため、上記のような密封性を向上させるための措置が必要無く、ケース１８０の密封性を容易に高めることができる。
【０１８７】
また、図１８を参照して、第１電池ユニット２４ａを側方から見た場合（たとえば、第２収容部Ｙ２から見た場合）に、枠部２０２，２０４の一部および枠部２１０，２１２の一部、すなわち連結部Ｙ３の一部が第１電池ユニット２４ａの一部と重なっている。同様に、図２１を参照して、第２電池ユニット２６ａを側方から見た場合（たとえば、第１収容部Ｙ１（図１８参照）から見た場合）に、連結部Ｙ３（図１８参照）の一部が、第２電池ユニット２６ａの一部と重なっている。このように連結部Ｙ３を形成することによって、ケース１８０の前後方向の長さを短くできる。それにより、ケース１８０の平面的な大きさを小さくでき、電池パック１０ａを小型に構成できる。
【０１８８】
また、電池パック１０ａでは、連結部Ｙ３は、第１収容部Ｙ１と第２収容部Ｙ２とを連結する役割を担うとともに、接続部２９６（図１９参照）を第１収容部Ｙ１から第２収容部Ｙ２に案内する役割を担う。そのため、電池パック１０ａでは、接続部２９６を第１収容部Ｙ１から第２収容部Ｙ２に案内するための構成を連結部Ｙ３とは別に設ける必要がない。その結果、電池パック１０ａの構成を簡単にすることができる。
【０１８９】
また、電池パック１０ａでは、各電池９０の一端面（端部電極９０ａまたは端部電極９０ｂ）が放熱用空間２３４に向くように複数の電池９０が配置される。それにより、電池パック１０と同様に、放熱性が向上したコンパクトな電池パック１０ａを得ることができる。
【０１９０】
また、電池パック１０ａでは、上下方向に貫通する貫通孔を放熱用空間２３４として利用しているので、放熱用空間２３４を介して上下方向に効率よく熱を放出することができる。
【０１９１】
また、電池パック１０ａでは、第１電池ユニット２４ａの複数の電池９０と第２電池ユニット２６ａの複数の電池９０とが電気的に直列に接続されるので、電池パック１０ａの出力電圧を十分に高くできる。
【０１９２】
また、電池パック１０ａでは、１つの制御部２４４によって第１電池ユニット２４ａおよび第２電池ユニット２６ａを制御できるので、電池パック１０ａの制御系を簡単な構成で構築できる。
【０１９３】
上述の電池パック１０および電池パック１０ａは、鞍乗型車両に好適に用いることができる。以下、上述の電池パック１０を鞍乗型車両の一例である電動二輪車３１２に用いる場合について説明する。
【０１９４】
図２３は、電動二輪車３１２を示す側面図である。
図２３を参照して、電動二輪車３１２は、車体フレーム３１４を有する。車体フレーム３１４は、ヘッドパイプ３１６、ヘッドパイプ３１６から後方へ斜め下方に延びる一対の前部フレーム３１８、および一対の前部フレーム３１８の後部にそれぞれ連結されかつ後方へ斜め上方に立ち上がる一対の後部フレーム３２０を備える。一対の前部フレーム３１８は左右に並ぶように配置され、一対の後部フレーム３２０は左右に並ぶように配置される。図２３には、一対の前部フレーム３１８のうちの一方の前部フレーム３１８のみを図示し、一対の後部フレーム３２０のうちの一方の後部フレーム３２０のみを図示している。
【０１９５】
ヘッドパイプ３１６内には、ステアリング軸３２２が回動自在に挿通される。ステアリング軸３２２の上端にはハンドル支持部３２４が取り付けられ、ハンドル支持部３２４にはハンドル３２６が固定される。ステアリング軸３２２の下端にはフロントフォーク３２８が取り付けられ、フロントフォーク３２８の下端には前輪３３０が回転自在に取り付けられる。
【０１９６】
一対の前部フレーム３１８の後端部には、ピボットシャフト３３２を介してリヤアーム３３４の前端部が取り付けられ、リヤアーム３３４が揺動自在に設けられる。リヤアーム３３４の後端部３３４ａには、たとえばアキシャルギャップ型の電動モータ３３６が内蔵される。電動モータ３３６は、後輪３３８に連結されかつ後輪３３８を回転駆動する。リヤアーム３３４には駆動ユニット３４０が内蔵される。一対の後部フレーム３２０の間に、電池パック１０が設けられ、電池パック１０の上方にシート３４２が設けられる。電池パック１０は、電動モータお３３６よび駆動ユニット３４０に電気的に接続される。
【０１９７】
電動二輪車３１２では、電池パック１０から電動モータ３３６および駆動ユニット３４０に電力が供給され、電動モータ３３６および駆動ユニット３４０が駆動される。駆動ユニット３４０は、電動モータ３３６の回転駆動を制御する。これにより、電動二輪車３１２の走行が制御される。
【０１９８】
上述のように、この発明に係る電池パック１０によれば、エネルギー量を大きくできるにも拘わらず放熱性が高くかつ複数の電池を配置するための平面的なスペースを小さくできる。したがって、電池パックを搭載するためのスペースに制約がある電動二輪車３１２においても、放熱性が高くかつ十分なエネルギー量を有する電池パック１０を容易に搭載することができる。それにより、電動二輪車３１２の走行性能を向上させることができる。
【０１９９】
なお、電池パック１０を搭載した電動二輪車３１２について説明したが、電池パック１０ａも同様に電動二輪車に搭載することができる。
【０２００】
この発明が適用される鞍乗型車両は上述の電動二輪車３１２に限定されない。具体的には、スクータ、不整地走行用車両（ＡＬＬ−ＴＥＲＲＡＩＮ  ＶＥＨＩＣＬＥ）およびスノーモービル等を含む種々の鞍乗型車両にもこの発明を適用できる。
【０２０１】
また、この発明に係る電池パックは、鞍乗型の電動車両だけではなく、種々の電動車両に好適に利用することができる。
【符号の説明】
【０２０２】
１０，１０ａ  電池パック
１２，１８０  ケース
１４，１８２  第１ケース部
１６，１８４  第２ケース部
１８，１８６  第３ケース部
２０，１８８  第４ケース部
２２，２２ａ  電池ユニット
２４，２４ａ  第１電池ユニット
２６，２６ａ  第２電池ユニット
２８  連結ユニット
８４，２３４  放熱用空間
９０  電池
９０ａ，９０ｂ  端部電極
９６，２４４  制御部
３１２  電動二輪車
Ｘ１，Ｙ１  第１収容部
Ｘ２，Ｙ２  第２収容部
Ｘ３，Ｙ３  連結部
Ｘ４，２９６  接続部
【図１】
2013232280.tif 000003
【図２】
2013232280.tif 000004
【図３】
2013232280.tif 000005
【図４】
2013232280.tif 000006
【図５】
2013232280.tif 000007
【図６】
2013232280.tif 000008
【図７】
2013232280.tif 000009
【図８】
2013232280.tif 000010
【図９】
2013232280.tif 000011
【図１０】
2013232280.tif 000012
【図１１】
2013232280.tif 000013
【図１２】
2013232280.tif 000014
【図１３】
2013232280.tif 000015
【図１４】
2013232280.tif 000016
【図１５】
2013232280.tif 000017
【図１６】
2013232280.tif 000018
【図１７】
2013232280.tif 000019
【図１８】
2013232280.tif 000020
【図１９】
2013232280.tif 000021
【図２０】
2013232280.tif 000022
【図２１】
2013232280.tif 000023
【図２２】
2013232280.tif 000024
【図２３】
2013232280.tif 000025